(57)【要約】【課題】大型の表示装置による迫力ある画像演出に加え、よりインパクトの強い新たな演出効果を楽しむことのできる遊技機を提供する。【解決手段】遊技球を転動させることのできる遊技領域を有し、一部又は全部が透光性を有する部材により形成された遊技盤と、遊技状態に応じた演出画像を表示する演出画像表示領域を有し、前記遊技盤の背後に配設され、当該遊技盤を透して視認可能な表示手段と、この表示手段と前記遊技盤との間に形成された演出空間と、この演出空間内に配設した可動演出手段と、を備え、前記可動演出手段は、前記演出空間内を浮遊可能な複数の浮遊体と、これら浮遊体を、前記演出空間内に導入するとともに、当該演出空間外に導出する浮遊体可動手段とを備える構成とした。【選択図】図８
2008119383.tif 000002
【特許請求の範囲】
【請求項１】
遊技球を転動させることのできる遊技領域を有し、一部又は全部が透光性を有する部材により形成された遊技盤と、
遊技状態に応じた演出画像を表示する演出画像表示領域を有し、前記遊技盤の背後に配設され、当該遊技盤を透して視認可能な表示手段と、
この表示手段と前記遊技盤との間に形成された演出空間と、
この演出空間内に配設した可動演出手段と、
を備え、
前記可動演出手段は、
前記演出空間の所定領域内を浮遊可能な複数の浮遊体と、
これら浮遊体を、前記所定領域内に導入するとともに、当該所定領域外に導出する浮遊体可動手段と、
を備えることを特徴とする遊技機。
【請求項２】
前記浮遊体可動手段を制御して前記浮遊体の挙動を制御する浮遊体制御手段を備え、
この浮遊体制御手段は、遊技状態の変化に応じて前記浮遊体の浮遊動作を変化させることを特徴とする請求項１記載の遊技機。
【請求項３】
前記所定領域内に導入される浮遊体の数量に応じて、遊技状態が変化する確率を報知可能としたことを特徴とする請求項１又は２に記載の遊技機。
【請求項４】
前記浮遊体が浮遊する範囲に応じて、遊技状態が変化する確率を報知可能としたことを特徴とする請求項１〜３のいずれか１項に記載の遊技機。
【請求項５】
前記浮遊体と、前記演出画像との組合せに応じて、遊技状態が変化する確率を報知可能としたことを特徴とする請求項１〜４のいずれか１項に記載の遊技機。
【請求項６】
前記浮遊体の種類に応じて、遊技状態が変化する確率を報知可能としたことを特徴とする請求項１〜５のいずれか１項に記載の遊技機。
【発明の詳細な説明】
【技術分野】
【０００１】
本発明は、パチンコ遊技機などの遊技機に関する。
【背景技術】
【０００２】
従来、代表的な遊技機として、遊技者による発射ハンドルの操作で遊技球を遊技盤の遊技領域に発射させ、遊技領域に植設された多数の遊技釘との衝突を繰り返しながら遊技球を転動流下させつつ遊技領域に設けられた入賞口に遊技球を入賞させることで賞球を獲得するようにしたパチンコ遊技機がある。
【０００３】
また、近年のパチンコ遊技機は、上記遊技盤に、遊技状態に応じた演出画像を表示する液晶表示装置などの表示手段を設けたものが一般的となっており、この表示手段上で、例えばアニメーションや実写画像などを用いて、ストーリー性を有する多彩な演出表示を行い、遊技をより盛り上げるようにしている。
【０００４】
しかし、上記表示手段は、通常、遊技盤に埋設された構成となっており、遊技球を転動させる遊技領域の面積をある程度確保する必要があるために、表示手段の表示面積の大きさはおのずと制限されることになる。したがって、折角の美しい画像などを用いて演出表示を行ったとしても、画像が小さくなってインパクトに欠けるものとなっていた。
【０００５】
そこで、前面側に遊技領域を形成した遊技盤を、その一部又は全部が透光性を有する部材により形成し、この遊技盤の背後に、前記遊技領域と略同一面責を有する大型の液晶表示装置を配設したパチンコ遊技機が提案された。(例えば、特許文献１を参照。)。
【特許文献１】特開２００６−２３０６４４号公報
【発明の開示】
【発明が解決しようとする課題】
【０００６】
しかしながら、上述したパチンコ遊技機は、遊技盤の後方に配設した大型の表示手段により迫力ある画像表示は可能であるが、結局のところは画像表示の演出のみに止まっていた。
【０００７】
そこで、市場からは、大型の表示装置による迫力ある画像演出に加え、よりインパクトの強い新たな演出効果を楽しむことのできる遊技機の提供が望まれている。
【０００８】
本発明は、上記課題を解決することのできる遊技機を提供することを目的としている。
【課題を解決するための手段】
【０００９】
請求項１記載の本発明では、遊技球を転動させることのできる遊技領域を有し、一部又は全部が透光性を有する部材により形成された遊技盤と、遊技状態に応じた演出画像を表示する演出画像表示領域を有し、前記遊技盤の背後に配設され、当該遊技盤を透して視認可能な表示手段と、この表示手段と前記遊技盤との間に形成された演出空間と、この演出空間内に配設した可動演出手段とを備え、前記可動演出手段は、前記演出空間の所定領域内を浮遊可能な複数の浮遊体と、これら浮遊体を、前記所定領域内に導入するとともに、当該所定領域外に導出する浮遊体可動手段と、を備える遊技機とした。
【００１０】
請求項２記載の本発明では、請求項１記載の遊技機において、前記浮遊体可動手段を制御して前記浮遊体の挙動を制御する浮遊体制御手段を備え、この浮遊体制御手段は、遊技状態の変化に応じて前記浮遊体の浮遊動作を変化させることを特徴とする。
【００１１】
請求項３記載の本発明では、請求項１又は２に記載の遊技機において、前記所定領域内に導入される浮遊体の数量に応じて、遊技状態が変化する確率を報知可能としたことを特徴とする。
【００１２】
請求項４記載の本発明では、請求項１〜３のいずれか１項に記載の遊技機において、前記浮遊体が浮遊する範囲に応じて、遊技状態が変化する確率を報知可能としたことを特徴とする。
【００１３】
請求項５記載の本発明では、請求項１〜４のいずれか１項に記載の遊技機において、前記浮遊体と、前記演出画像との組合せに応じて、遊技状態が変化する確率を報知可能としたことを特徴とする。
【００１４】
請求項６記載の本発明では、請求項１〜５のいずれか１項に記載の遊技機において、前記浮遊体の種類に応じて、遊技状態が変化する確率を報知可能としたことを特徴とする。
【発明の効果】
【００１５】
本発明によれば、表示手段による演出表示に加え、透光性を有する遊技盤の背後における可動演出手段による動きによって、インパクトのある演出が可能となる。特に、遊技機内において浮遊体が浮遊するという従来にない演出表示が可能となり、遊技興趣を向上させることができる。
【発明を実施するための最良の形態】
【００１６】
本実施形態に係る遊技機は、遊技球を転動させることのできる遊技領域を有し、一部又は全部が透光性を有する部材により形成された遊技盤と、遊技状態に応じた演出画像を表示する演出画像表示領域を有し、前記遊技盤の背後に配設され、当該遊技盤を透して視認可能な表示手段と、この表示手段と前記遊技盤との間に形成された演出空間と、この演出空間内に配設した可動演出手段とを備え、前記可動演出手段は、前記演出空間の所定領域内を浮遊可能な複数の浮遊体と、これら浮遊体を、前記所定領域内に導入するとともに、当該所定領域外に導出する浮遊体可動手段と、を備えるものである。
【００１７】
すなわち、遊技釘や入賞口などを含む遊技部材が設けられた遊技領域を前面に形成した透明な遊技盤と、例えば液晶表示装置からなり、前記遊技盤と略同等の表示領域を有する大型の表示手段との間に、これも遊技盤と同等の広さを有する演出空間を設け、この演出空間にその空間内の所定領域で浮遊可能な浮遊体を備えた可動演出手段を配設し、遊技盤を透して、表示手段（液晶表示装置）による迫力のある演出画像表示に加え、さらに、この表示手段の前方において、浮遊体を備えた可動演出手段による新鮮かつダイナミックな演出を実行して、インパクトの強い演出を可能としている。
【００１８】
可動演出手段が備える浮遊体としては、前記演出空間内における限られた奥行きの深さであっても多数浮遊できるような小型軽量の例えば薄膜状のものが望ましく、花吹雪のように浮遊するものが好ましい。
【００１９】
演出空間の後方で表示される演出画像に加え、かかる小型軽量の浮遊体が浮遊する数量や浮遊する範囲、さらには浮遊体の形状種類等を変化させることで、演出効果を高めるのである。なお、浮遊体は、通常は前記所定領域外に格納されており、必要に応じて所定領域内に導入される構成としておくとよい。
【００２０】
また、かかる浮遊体を所定領域内に移動させる可動手段としては、例えばファンなどが考えられ、ファンの回転方向を変えることにより、浮遊体を前記所定領域内に吹き出して導入したり、或いは吸引することにより、前記所定領域外に導出可能としたりすることができるとともに、ファンの回転数等を変化させることで、前記所定領域内での浮遊体の浮遊範囲を変化可能な構成とするとよい。
【００２１】
このように、本実施形態によれば、表示手段による演出表示に加え、透光性を有する遊技盤の背後における可動演出手段による動きによって、インパクトのある演出が可能となり、しかも、可動演出手段を構成する浮遊体の浮遊数量、浮遊範囲あるいは浮遊体の種類を変えることで、多彩な演出を可能として遊技興趣を向上させることができる。
【００２２】
また、本実施形態に係る遊技機は、前記浮遊体可動手段を制御して前記浮遊体の挙動を制御する浮遊体制御手段を備え、この浮遊体制御手段は、遊技状態の変化に応じて前記浮遊体の浮遊動作を変化させることができる。
【００２３】
浮遊体制御手段としては、ＣＰＵ及びＲＯＭ、ＲＡＭなどを備えた制御回路から構成することができ、遊技機の遊技状態の変化と対応して浮遊体可動手段の制御を実行するのである。
【００２４】
ここで、本実施形態に係る遊技機の遊技状態の変化とは、例えば、遊技領域に発射した遊技球が所定の入賞口に入賞したことを契機に、制御部により特別遊技抽選を実行する遊技状態（所謂「通常遊技状態」）があり、抽選結果を受けて、表示手段上で複数の識別情報（例えば０〜９までの数字を示す装飾図柄など）を変動表示させる。そして、前記識別情報が所定の組合せ（例えば、「７−７−７」など）で停止表示された場合、多量の賞球獲得機会が得られる特別遊技状態（所謂「大当たり遊技状態」）に移行する。このように、通常遊技状態から特別遊技状態に移行する場合の遊技状態の変化をはじめ、例えば、表示手段に表示されている前記複数の装飾図柄の変動状態の変化までも含めた概念である。
【００２５】
装飾図柄の変動状態の変化について、より具体的に説明すると、例えば、複数の装飾図柄の変動表示から停止表示までが一連で表示される通常の変動状態と、複数の装飾図柄が変動表示された後、全ての装飾図柄が略同時に停止表示されるのではなく、一の装飾図柄を残して他の装飾図柄が同一図柄で停止表示され、暫くは残り一つの装飾図柄が変動中の状態が継続される、所謂「リーチ状態」を伴う変動状態とがある。
【００２６】
この「リーチ状態」では、変動中の一の装飾図柄が、他の停止表示されている装飾図柄と同一図柄で停止表示されば前述の大当たり遊技状態に移行することになる。本実施形態では、このように、変動状態が通常の変動状態ではなく、リーチ状態を伴った場合についても、遊技状態の変化と見なすものとしている。
【００２７】
したがって、本実施形態によれば、例えば装飾図柄の変動表示がなされた場合に、浮遊体が前記所定領域内に導入されて所定の浮遊態様の挙動を呈する一方、リーチ状態になれば、その浮遊態様が変化するような演出が可能となる。
【００２８】
また、本実施形態では、前記所定領域内に導入される浮遊体の数量に応じて、遊技状態が変化する確率を報知可能とした構成することもできる。
【００２９】
遊技状態が変化する確率とは、現在のリーチ状態が大当たり遊技状態に移行することを示す特定の組合せとなるか否かの信頼度を示すものである。
【００３０】
したがって、装飾図柄の変動表示がなされ、リーチ状態になれば前記浮遊体が前記所定領域内に導入され、このときに、大当たり遊技状態に移行する確率に応じて導入される浮遊体の量や挙動を異ならせるといった演出を行うことができる。
【００３１】
具体的に簡単に説明すると、前記所定領域内に導入される浮遊体の数量が多い場合を「多数量」、略半分の数量の浮遊体が前記所定領域内に導入される場合を「少数量」の２段階とした場合に、例えば「多数量」の場合は大当たりに移行する前記確率が８０％、「少数量」の場合は５％にそれぞれ対応させることで、現在のリーチ状態が大当たり遊技状態に移行することを示す特定の組合せとなるか否かの確率（信頼度）を報知することができる。そうすることで、例えばリーチ状態になって前記所定領域内に導入された浮遊体の数量が「多数量」の場合、それを見た遊技客の期待感を高めることができる。
【００３２】
また、前記浮遊体が浮遊する範囲に応じて、遊技状態が変化する確率を報知可能とした構成としてもよい。
【００３３】
例えば、前記浮遊体が、前記所定領域内の正面視面積の全範囲にわたって浮遊する場合を「多範囲」、略４分の1程度の範囲にわたって浮遊する場合を「少範囲」の２段階とする。その場合、例えば「多範囲」の場合は大当たりに移行する前記確率が８０％、「少範囲」の場合は５％にそれぞれ対応させることで、現在のリーチ状態が大当たり遊技状態に移行することを示す特定の組合せとなるか否かの確率を報知することができる。そうすることで、例えばリーチ状態になって前記所定領域内において浮遊体の浮遊する範囲が「多範囲」の場合、それを見た遊技客の期待感を高める等の演出効果を向上させることができる。
【００３４】
また、前記浮遊体と、前記演出画像との組合せに応じて、遊技状態が変化する確率を報知可能とした構成としてもよい。
【００３５】
識別情報である装飾図柄が表示手段上で変動表示される際に、キャラクタ画像などからなる所定の演出画像を同じく表示手段上で表示し、この演出画像の種類と、浮遊体の数量、挙動の変化、あるいは浮遊範囲などとを組み合わせて大当たり遊技状態へ移行する確率を報知するのである。そうすることで、多彩な演出を可能として遊技興趣を向上させることができる。
【００３６】
また、前記浮遊体の種類に応じて、遊技状態が変化する確率を報知可能とした構成としてもよい。
【００３７】
例えば、前記浮遊体の形状を「鳥型」、「花びら型」等で形成し、「鳥型」の浮遊体を前記所定領域内に浮遊させた場合は、大当たりに移行する確率が１５％、「花びら型」の浮遊体を前記所定領域内に浮遊させた場合は、大当たりに移行する確率が８０％にそれぞれ対応させることで、現在のリーチ状態が大当たり遊技状態に移行することを示す特定の組合せとなるか否かの確率を報知することができる。そうすることで、例えばリーチ状態になって前記所定領域内における浮遊体の形状「花びら型」の場合、それを見た遊技客の期待感を高める等の多彩な演出を可能として遊技興趣を向上させることができる。また、このときに、表示手段上でも鳥に関する演出画像を用いたり、花に関する演出画像を用いたりして、この演出画像と浮遊体の形状との組合せで遊技状態が変化する確率を報知するようにしてもよい。
【００３８】
以下、本発明に好適な実施形態について、図面に基づいて説明する。なお、以下において説明する実施形態においては、遊技機をパチンコ遊技機に適用した場合としている。
【００３９】
［遊技機の構成］
遊技機の概観について図１及び図２を用いて説明する。図１は、本実施形態におけるパチンコ遊技機１０の概観を示す斜視図、図２は、本実施形態におけるパチンコ遊技機１０の概観を示す分解斜視図である。
【００４０】
図１及び図２に示すように、パチンコ遊技機１０は、前面に開口１２ａが形成された本体枠１２と、その本体枠１２における開口１２ａの内部に配設される各種の部品と、本体枠１２の前方に開閉自在に軸着された扉１１とから構成されている。この扉１１は、図１に示すように、開口１２ａを前面から閉鎖するためのものであり、通常閉鎖した状態で遊技が行われる。また、本体枠１２の前面には、上皿２０、下皿２２、発射ハンドル２６等が配設されている。
【００４１】
本体枠１２の開口１２ａ内部には、画像を表示する表示手段としての液晶表示装置３２と、浮遊体収納ケース３１、遊技盤１４等が配設されている。
【００４２】
遊技盤１４と液晶表示装置３２との間には所定の演出空間が形成されており、本実施形態では、この演出空間に前記浮遊体収納ケース３１を配設している。また、本実施形態では、遊技盤１４と液晶表示装置３２と浮遊体収納ケース３１とは、正面視において略同形同面積としている。
【００４３】
なお、遊技盤１４、浮遊体収納ケース３１、液晶表示装置３２以外の各種の部品（図示せず）については、理解を容易にするために説明を省略する。
【００４４】
遊技盤１４は、その全部が透光性を有する板形状の樹脂(透光性を有する部材)によって形成されている。この透光性を有する部材としては、例えば、アクリル樹脂、ポリカーボネート樹脂、メタクリル樹脂など各種の材質が該当する。また、遊技盤１４は、その前面側に、発射された遊技球が転動可能な遊技領域１５を有している。この遊技領域１５は、ガイドレール３０に囲まれ、遊技球が転動可能な領域である。また、遊技盤１４における遊技領域１５には複数の遊技釘１３が打ちこまれている。なお、遊技盤１４は、例えば前記遊技領域１５に相当する部分の一部が透光性を有する部材で形成されていてもよい。
【００４５】
本実施形態の浮遊体収納ケース３１は、上述したようにその全体が正面視において遊技盤１４及び浮遊体収納ケースと略同じ大きさの略長方形で前記本体枠１２の厚さの略半分程度の厚さを有する矩形箱状に形成されており、遊技盤１４の後方（背面側）で、かつ液晶表示装置３２の前方（前面側）に配設される。つまり、浮遊体収納ケース３１は、遊技盤１４と液晶表示装置３２とによって挟持された状態で配設されている。
【００４６】
また、浮遊体収納ケース３１は、このように配設された場合に、前記遊技領域１５と重合する部分に当該遊技領域１５と略同じ大きさの略円形の透光部を形成している。この透光部は、浮遊体収納ケース３１を前後貫通するように開孔部を形成し、この開孔部の前後開口部分を透明部材で封止して形成している。そして、前記透明部材で封止された開孔部の内部を、実際に浮遊体４１，４２による演出がなされる演出空間の所定領域３１ａとしている。
【００４７】
すなわち、遊技者は、遊技盤１４の遊技領域１５を透して、液晶表示装置３２の演出画像に加えて前記所定領域３１ａ内での浮遊体４１，４２による演出を視することができる。なお、本実施形態の浮遊体収納ケース３１は、前記開孔部の両端開口を封止する透明部材を除いて不透明な部材で形成しているが、浮遊体収納ケース３１全体を透明部材で形成してもよい。
【００４８】
この浮遊体収納ケース３１の内部に、本実施形態に係るパチンコ遊技機１０の遊技状態に合せて浮遊する浮遊体４１，４２が内蔵されている。かかる浮遊体４１，４２及びこの浮遊体４１，４２を用いた演出については本実施形態の要部となるものであり、後に詳述する。
【００４９】
表示手段の一例である液晶表示装置３２は、前記浮遊体収納ケース３１を挟んで、遊技盤１４の背後に設けられている。なお、本実施形態では、遊技盤１４の全部を透光性を有する材料で形成しているが、透光性を有する材料が遊技盤１４の一部に用いられている場合であれば、液晶表示装置３２は、遊技盤１４の透光性を有する部材の背後に配置されることになる。
【００５０】
すなわち、この液晶表示装置３２は、遊技に関する表示を可能とする演出画像表示領域３２ａを有しており、この演出画像表示領域３２ａは、浮遊体収納ケース３１及び遊技領域１５の全部又は一部、あるいは遊技領域外域１６の全部又は一部を透して遊技者側から視認可能となっている。なお、遊技状態に応じた演出画像とは、詳しくは後述するが、例えば可変表示ゲームにおいて変動表示される装飾図柄や、装飾図柄の変動に合わせて表示されるキャラクタ画像などを意味する。なお、演出画像表示領域３２ａ内には、装飾図柄が変動表示される変動表示領域３２ｂが設けられている。
【００５１】
また、本実施形態において、遊技盤１４における透光性領域の背後に液晶表示装置３２などの表示手段を設けることにより、例えば、障害釘の植設領域や役物、装飾部材といった遊技部材を設ける領域を大きくし、レイアウトの自由度も更に大きくすることが可能である。
【００５２】
遊技盤１４の外側となる扉１１の所定位置には、発光表示手段としての装飾ランプ１３３ａ，１３３ｂが配設されており、遊技状態に合わせた所定の発光態様の表示を行う。
【００５３】
また、この扉１１には、透光性を有する保護板１９が配設されている。この保護板１９は、扉１１が閉鎖された状態で遊技盤１４の前面に対面するように配設されている。また、保護板１９の上方位置には、スピーカ４６Ｌ，４６Ｒが左右に配設されている。
【００５４】
発射ハンドル２６は本体枠１２に対して回動自在に設けられている。また、発射ハンドル２６の裏側には、駆動装置である発射ソレノイド（図示せず）が設けられている。さらに、発射ハンドル２６の周縁部には、タッチセンサ（図示せず）が設けられている。このタッチセンサが遊技者により触接されたときに、遊技者により発射ハンドル２６が握持されたと検知される。そして、発射ハンドル２６が遊技者によって握持され、かつ、時計回り方向へ回動操作されたときに、その回動角度に応じて発射ソレノイドに電力が供給され、上皿２０に貯留された遊技球が、発射ハンドル２６の回転角度に応じた発射強度で、遊技盤１４の遊技領域１５に順次発射されてパチンコ遊技が進められることになる。
【００５５】
次に、図３〜５を参照しながら、パチンコ遊技機１０の構成についてさらに詳細に説明する。図４は本実施形態におけるパチンコ遊技機１０の概観を示す正面図である。図５は遊技盤１４の背部に重合状態に設けられた浮遊体収納ケース３１を示す説明図である。また、図３はパチンコ遊技機１０の上皿２０の上部に設けられた電飾ユニット５３の拡大図である。なお、図３〜５を用いたパチンコ遊技機１０の概観の以下の説明では、図１及び図２を用いた説明と重複する部分を省略することがある。
【００５６】
図４に示すように、遊技盤１４の遊技領域１５には、２つのガイドレール３０（３０ａ及び３０ｂ）、遊技釘（図示せず）、障害物５５，５７、通過ゲート５４、羽根部材２３が付設された始動口２５、大入賞口３９、一般入賞口５６ａ〜５６ｄが設けられている。
【００５７】
遊技盤１４の左側に設けられている２つのガイドレール３０は、遊技領域１５を区画（画定）する外レール３０ａと、その外レール３０ａの内側に配設された内レール３０ｂとから構成される。発射された遊技球は、遊技盤１４上に設けられたガイドレール３０に案内されて、遊技領域１５の上部に移動し、複数の遊技釘１３、遊技領域１５上に設けられた障害物５５、５７等との衝突により、その進行方向を変えながら遊技領域１５の下方に向かって流下する。
【００５８】
遊技領域１５の略中央に設けられた障害物５７の下部には、入賞口の一つである前記始動口２５が設けられており、遊技領域１５に設置された障害物５７や遊技釘１３との衝突しながら転動した遊技球がこの始動口２５へ入賞すると、後述する特別図柄ゲーム及び大当たり抽選が開始される。すなわち、始動口２５は、特別図柄ゲーム及び大当たり抽選の契機となる入賞口である。
【００５９】
また、図３に示すように、電飾ユニット５３の中央に配置された表示器ケース３７には、特別図柄表示器３３が収容されており、この特別図柄表示器３３は、７セグメントＬＥＤ４１で構成されている。この７セグメントＬＥＤ４１は、前記始動口２５に遊技球が入賞した場合に、点灯・消灯を繰り返す。７セグメントＬＥＤ４１の点灯・消灯によって、“０”から“９”までの１０個の数字図柄が、特別図柄として変動表示される。以上のように、特別図柄が変動表示された後、停止表示され、その結果によって遊技状態が異なってくるゲームを「特別図柄ゲーム」という。
【００６０】
そして、表示器ケース３７の左右両側には、特別図柄保留ランプ３４ａ〜３４ｄが設けられている。この特別図柄保留ランプ３４ａ〜３４ｄは、特別図柄の変動表示中に遊技球が始動口２５へ入賞した場合に、変動表示中の特別図柄が停止表示されるまで、始動口２５への遊技球の入賞に基づく特別図柄の変動表示の実行を保留する回数（所謂、「特別図柄の保留球数」）を点灯によって表示する。変動表示していた特別図柄が停止表示されると、保留されていた特別図柄の変動表示が開始される。具体的に説明すると、特別図柄保留ランプ３４ａ〜３４ｄは、特別図柄の変動表示の実行が保留された回数に対応して左から順番に点灯され、特別図柄の変動表示が一旦停止表示され、次の保留されていた特別図柄の変動表示が開始されると、それに対応した特別図柄保留ランプは消灯される。なお、特別図柄の変動表示の実行が保留される回数には上限が設定されており、例えば、４回（個）を上限として特別図柄の変動表示は保留される。
【００６１】
また、液晶表示装置３２の演出画像表示領域３２ａ内の変動表示領域３２ｂにおいても、前述した始動口２５に遊技球が入賞した場合には、特別図柄の変動表示の開始にあわせて、演出用の装飾図柄（図１５参照）の変動表示が開始される。また、特別図柄に関する変動表示中に遊技球が始動口２５へ入賞した場合には、変動表示中の演出用の装飾図柄が停止表示されるまで、始動口２５への遊技球の入賞に基づく演出用の装飾図柄の変動表示の実行（開始）が保留される。その後、変動表示していた演出用の装飾図柄が停止表示された場合には、保留されていた演出用の装飾図柄の変動表示が開始される。つまり、液晶表示装置３２の変動表示領域３２ｂにおいて行われる演出用の装飾図柄の変動表示と、特別図柄の変動表示とは、その変動開始及び変動停止は同じタイミングで行なわれることとなる。
【００６２】
本実施形態では、前記特別図柄及び装飾図柄は、共に識別情報として機能するものであり、特別図柄の変動表示から停止表示までを単位ゲームとした前記特別図柄ゲームと、特別図柄と同期して行われる装飾図柄の変動表示から停止表示までを単位ゲームとしたゲームとを併せて、「可変表示ゲーム」としている。したがって、本実施形態に係るパチンコ遊技機１０では、前記始動口２５に遊技球が入賞したことを契機として、可変表示ゲームが行われることになる。なお、この可変表示ゲーム実行中には、演出画像表示領域３２ａにおいて、変動表示領域３２ｂの装飾図柄の変動に同期して所定のキャラクタ画像や背景画像などからなる演出表示がなされる。
【００６３】
また、遊技領域１５の略中央の左側に設けられた通過ゲート５４（図４参照）を遊技球が通過すると、特別図柄表示器３３の右側に設けられた普通図柄表示器３５において、“○”、“×”等の記号で構成された２つの表示用ランプが、交互に点灯・消灯を繰り返すことによって、普通図柄として変動表示される。
【００６４】
さらに、表示器ケース３７の下側には、普通図柄保留ランプ５０ａ〜５０ｄが設けられている。この普通図柄保留ランプ５０ａ〜５０ｄは、前述した普通図柄の変動中に、前記通過ゲート５４を遊技球が通過した場合に、点灯又は消灯によって、保留されている普通図柄の変動表示の実行可能な回数（所謂、「普通図柄の保留球数」）を表示する。つまり、普通図柄保留ランプ５０ａ〜５０ｄは、保留された普通図柄の変動表示の実行回数に対応して、左から順番に点灯され、変動が停止表示されると、次の保留されていた普通図柄の変動表示が開始され、それに対応した普通図柄保留ランプは消灯される。なお、普通図柄の変動表示の実行が保留される回数には上限が設定されており、例えば、４回（個）を上限として保留される。
【００６５】
この普通図柄が所定の図柄、例えば“○”として停止表示されたときには、始動口２５の左右の両側に設けられている羽根部材（所謂「普通電動役物」）２３が閉鎖状態から開放状態となり、始動口２５に遊技球が入りやすくなる。また、羽根部材２３を開放状態とした後、所定の時間が経過したときには、羽根部材２３を閉鎖状態として、始動口２５に遊技球が入りにくくなるようにする。以上のように、普通図柄が変動表示された後、停止表示され、その結果によって羽根部材２３の開放・閉鎖状態が異なってくるゲームを「普通図柄ゲーム」という。
【００６６】
図４に示すように、始動口２５の下部には、大入賞口３９が設けられている。この大入賞口３９には、その前面側（前方）に開閉自在なシャッタ４０が設けられている。このシャッタ４０は、特別図柄表示器３３において特別図柄として特定の数字図柄が停止表示され、遊技状態が特別遊技状態である大当たり遊技状態に移行された場合は、遊技球を受け入れやすい開放状態となるように駆動される。その結果、大入賞口３９は、遊技球を受け入れやすい開放状態となる。
【００６７】
一方、シャッタ４０の背面側（後方）に設けられた大入賞口３９には、Ｖ・カウントセンサ１０１（図７参照）を有する特定領域（図示せず）と、カウントセンサ１０２（図７参照）を有する一般領域（図示せず）とがあり、それらの領域を遊技球が所定個数（例えば１０個）通過するか、又は、所定時間（例えば３０秒）が経過するまでシャッタ４０が開放状態に駆動される。そして、開放状態において大入賞口３９への所定数の遊技球の入賞又は所定時間の経過のいずれかの条件が成立すると、シャッタ４０は、遊技球を受け入れ難い閉鎖状態になるように駆動される。その結果、大入賞口３９は、遊技球を受け入れ難い閉鎖状態となる。
【００６８】
なお、大入賞口３９が遊技球を受け入れやすい状態となっている開放状態から大入賞口３９が遊技球を受け入れ難い状態となっている閉鎖状態までの遊技をラウンドゲームという。したがって、シャッタ４０は、ラウンドゲーム時に開放し、各ラウンドゲーム間では閉鎖することになる。また、ラウンドゲームは、“１”ラウンド、“２”ラウンド等のラウンド数として計数されるため、ラウンドゲームの１回目を第１ラウンド、２回目を第２ラウンドと呼称する場合がある。
【００６９】
続いて、開放状態から閉鎖状態に駆動されたシャッタ４０は、開放状態において大入賞口３９に受け入れられた遊技球がＶ・カウントセンサ１０１を通過したことを条件に、再度開放状態に駆動される。つまり、シャッタ４０の開放状態において大入賞口３９に受け入れられた遊技球がＶ・カウントセンサ１０１を通過したことを条件に、次のラウンドゲームへ継続して進むことができる。なお、第１ラウンドのラウンドゲームから、次のラウンドゲームに継続して進むことができない（最終の）ラウンドゲームが終了するまでの遊技状態を大当たり遊技状態という。すなわち、大当たり遊技状態は遊技者にとって有利な遊技状態である。
【００７０】
また、前述した始動口２５、一般入賞口５６ａ〜５６ｄ、大入賞口３９における特定領域及び一般領域に遊技球が入賞又は通過したときには、それぞれの入賞口の種類に応じて予め設定されている数の遊技球が上皿２０又は下皿２２に払い出される。
【００７１】
このように、本実施形態に係るパチンコ遊技機１０では、一般遊技状態において、大当たり遊技状態へ移行するか否かの大当たり抽選と、特別図柄ゲームとが行われ、抽選結果に基づいて、前記特別図柄表示器３３に停止表示される特別図柄に対応した装飾図柄の組み合わせが液晶表示装置３２の変動表示領域３２ｂに停止表示されるとともに、抽選結果に伴う各種の演出画像についても液晶表示装置３２の演出画像表示領域３２ａに表示されることになる。そして、抽選結果に当選すれば、前述した大当たり遊技状態に移行するのである。
【００７２】
なお、本発明における遊技は、始動口２５に遊技球が入球したことを契機に、遊技者にとって有利な遊技へ移行するか否かの抽選が行われ、特別図柄表示器３３において特別図柄の変動表示が行われ、液晶表示装置３２において演出としての装飾図柄の変動表示、及びこれに伴う演出が行われる遊技である。
【００７３】
ここで、本実施形態においては、役物の一例として、大入賞口３９の役物が記載されているが、本発明はこれに限定されず、遊技盤上に２つ以上のいかなる数の役物が設けられてもよい。
【００７４】
また、本実施形態では、大当たり遊技状態の実行中において、最初のラウンド数から最もラウンドゲームが継続された場合の最後のラウンドゲームまでのラウンド数（最大継続ラウンド数）は、１５ラウンド又は２ラウンドである。なお、大当たり遊技状態の実行中における最大継続ラウンド数は限定されるものではない。例えば、最大継続ラウンド数は、ラウンド数抽選手段（後述するメインＣＰＵ６６を含む主制御回路６０（図７参照））による抽選により、“１”ラウンドから“１５”ラウンドまでの間から選択されるなど、任意のラウンド数であってもよい。
【００７５】
図５は遊技盤１４の背部に重合状態に設けられた浮遊体収納ケース３１の内側を説明する縦断面図、図６は浮遊体可動手段４３を説明するＡ−Ａ線断面図、図７は、前記浮遊体収納ケース３１の内部を説明する斜視図である。図２、図４及び図５に示すように、本実施形態の浮遊体収納ケース３１は内側が中空の矩形箱状のケース体で形成され、遊技領域１５と重合する部分に正面視略円形の透光部が設けられている。したがって、浮遊体収納ケース３１が遊技盤１４と液晶表示装置３２とによって挟持された状態で配設された場合でも、遊技者は遊技領域１５を透して液晶表示装置３２の演出画像表示領域３２ａに表示される演出画像等を視認することができる。
【００７６】
浮遊体収納ケース３１の内側には、図５及び図７に示すように、上述した所定領域内を浮遊する浮遊体４１，４２と、これらの浮遊体４１，４２を可動させる浮遊体可動手段４３とを備えた可動演出手段４４が配設される。この可動演出手段４４は、遊技盤１４を透して、液晶表示装置（表示手段）３２による迫力のある演出画像表示に加え、さらに、この液晶表示装置３２の前方において前記浮遊体４１，４２を浮遊させつつ新鮮かつダイナミックな演出を実行して、インパクトの強い演出を可能とするものである。
【００７７】
本実施形態の浮遊体４１，４２は、上述した所定領域３１ａ内を浮遊可能としたものであり、前記所定領域３１ａの正面視円形（遊技領域１５と略同じ円形）の範囲に、例えば数十個〜百個程度の数量を略満遍なく配置できる程度の大きさで、後述する浮遊体可動手段４３で浮遊させることができる程度の重量を有する薄膜片で形成される。なお、本実施形態の浮遊体４１，４２は２種類のものからなり、一つは外形を花びら型（浮遊体４１）としたものであり、他は外形を鳥型（浮遊体４２）としたものである。かかる浮遊体４１，４２は例えばアクリル、セルロイド等の合成樹脂で形成してもよいし、布や合成繊維、さらには紙材で形成してもよい。なお、浮遊体の形状は本実施形態の形状に限るものではなく、例えば中空球体で形成し、それぞれの球体の彩色を変えることで種類分けしてもよい。
【００７８】
そして、これらの浮遊体４１，４２が、後述する浮遊体可動手段４３を介して、前記所定領域３１ａ内に導入導出自在に構成されるとともに、当該所定領域３１ａ内において所定の挙動態様で浮遊することで、後方の演出画像表示領域３２ａに表示される演出画像に加えて多彩な演出が行える。
【００７９】
また、本実施形態の浮遊体可動手段４３は、前記複数の浮遊体４１，４２を、前記所定領域３１ａ内に導入したり、当該所定領域３１ａ外に導出したり、導入した状態では、浮遊体４１，４２を浮遊体収納ケース３１内で浮遊させて所定の挙動をとらせるためのものであり、図５及び図６に示すように、上・下側送風吸引機８０，８３と、各送風吸引機８０，８３にそれぞれ連結されるパイプ体８１，８５と、浮遊体を収納する浮遊体収納部８７とを備えた構成としている。
【００８０】
図５に示すように、浮遊体収納ケース３１の上側に配設された上側送風吸引機８０は、複数のファン８０ａと、これらのファン８０ａを格納する格納部８０ｃとを備えている。前記ファン８０ａは、その回転方向を切り換えることにより送風と吸引とを切換可能な公知のファンで、前記浮遊体収納ケース３１の厚さと略同じ直径の大きさのファンを用いることができる。
【００８１】
格納部８０ｃは、前記浮遊体収納ケース３１の横幅の３分の２程度の長さと前記浮遊体収納ケース３１の厚さと略同じ奥行きで、略前記浮遊体収納ケース３１の上端から前記所定領域３１ａの上端までの高さを有する細長矩形状の中空箱体で形成される。そして、この格納部８０ｃは、図５及び図７に示すように、その下端部に前記ファン８０ａを所定の間隔を設けて配置するとともに、その上端面を前記浮遊体収納ケース３１の上端内側であって正面視中央近傍に固定して設けられる。なお、前記格納部８０ｃの下端で前記ファン８０ａの下方に、網体８０ｅを設け、前記浮遊体４１，４２が前記格納部８０ｃ内へ侵入することを防止している。
【００８２】
浮遊体収納ケース３１の下側に配設された下側送風吸引機８３は、複数のファン８３ａ，８３ｂと、これらのファン８３ａ，８３ｂを格納する格納部８３ｃとを備えている。ファン８３ａ，８３ｂは、上述した上側送風吸引機８０のファン８０ａと同形同種類のファンで形成される。
【００８３】
また、格納部８３ｃは、上側送風吸引機８０の格納部８０ｃと略同形同サイズの細長矩形状の中空箱体で形成される。そして、この格納部８３ｃは、下端面を前記浮遊体収納ケース３１の下端内側であって正面視中央近傍に固定して設けられ、高さ方向の略中央位置に前記ファン８３ａ、８３ｂを所定の間隔を空けて配置（図６参照）している。そして、この格納部８３ｃの上端側で前記ファン８３ａ、８３ｂの上方に網体８３ｅを設け、浮遊体４１，４２が前記格納部８３ｃ内へ侵入することを防止している。
【００８４】
浮遊体収納部８７は、必要に応じて、浮遊する浮遊体４１，４２の種類を切換えるとともに、浮遊体４１，４２による演出が終了した後に前記浮遊体４１，４２を収納することができるようにしたもので、図５及び図７に示すように、下側送風吸引機８３の格納部８３ｃの上方に配設された網体８３ｅの上方の空間に形成されている。
【００８５】
この浮遊体収納部８７は、前記格納部８３ｃと正面視同じ横幅と奥行きを有し、上側開放部を、２つの長方形の平坦な蓋体８７ｃ，８７ｄによって覆われている。
【００８６】
かかる蓋体８７ｃ，８７ｄは、それぞれ平坦な網部材で形成され、ヒンジ（図示せず）を介して開閉自在に取付けられている。そして、図５に示すように、正面視略Ｖ字状となるように、両者は傾斜状態に配設されている。また、図示しないが、蓋体８７ｃ，８７ｄを開閉する自動開閉機構が備えられており、後述する浮遊体制御回路２６０（図８参照）からの信号を受けてそれぞれ独立して開閉可能となっている。
【００８７】
さらに、浮遊体収納部８７は、図５及び図７に示すように、その正面視Ｖ字の下端位置に、前記下端から底面に至る程度の高さの仕切板部材８７ｅを配置し、前記浮遊体収納部８７を左右に分離している。すなわち、前記浮遊体収納部８７は、正面視左側の左浮遊体収納部８７ａと、正面視右側の右浮遊体収納部８７ｂとで形成され、左浮遊体収納部８７ａの上端部に設けられた蓋体８７ｃを開閉させることで左浮遊体収納部８７ａの上端部を開閉可能とするとともに、右浮遊体収納部８７ｂの上端部に設けられた蓋体８７ｄを開閉させることで右浮遊体収納部８７ｂの上端部を開閉可能としている。このように構成することで、例えば左浮遊体収納部８７ａに収納した浮遊体４１のみを所定領域３１ａ内に導入させる場合は蓋体８７ｄを閉鎖しつつ蓋体８７ｃを開放し、一方、右浮遊体収納部８７ｂに収納した浮遊体４２のみを所定領域３１ａ内に導入させる場合は蓋体８７ｃを閉鎖しつつ蓋体８７ｄを開放すればよい。したがって、左右浮遊体収納部８７ａ、８７ｂに、それぞれ種類が相違する浮遊体４１，４２を収納しておくことで、所定領域３１ａ内を浮遊させる浮遊体の種類を切り換え可能となるのである。
【００８８】
また、前記浮遊体収納部８７は、図５及び図７に示すように、上述した下側送風吸引機８３の上端に固定して設けられるが、当該浮遊体収納部８７の高さは、前記所定領域３１ａより下方となる高さで形成される。したがって、浮遊体４１，４２を前記浮遊体収納部８７に収納しておけば、これらの浮遊体４１，４２を前記所定領域３１ａに導入したり所定領域３１ａから外部へ導出したりすることができる。
【００８９】
図５及び図７において、３１ｂ，３１ｂは、前記蓋体８７ｃ，８７ｄにより形成されるＶ字の斜面の左右延長方向にそれぞれ配設した案内板であり、前記浮遊体収納ケース３１の左右側部に落下した浮遊体４１，４２を、前記浮遊体収納部８７に収納しやすくしている。
【００９０】
次に、各送風吸引機８０，８３にそれぞれ連結される前記パイプ体８１、８５は、送風吸引機８０，８３のファン８０ａ、８３ａの回転に応じて、外気を上述した格納部８０ｃ、８３ｃ内に供給し、また当該格納部８０ｃ、８３ｃ内の空気を外気側に排出するためのものである。これらパイプ体８１、８５は、図５及び図７に示すように、前記格納部８０ｃ、８３ｃの側面に取付けることができる程度の直径を有する両端が開放した中空円筒部材で形成され、当該格納部８０ｃ、８３ｃの背面に連結して設けられる。
【００９１】
なお、図中、８６ａ、８６ｂ、８６ｃ、８６ｄは、ファン８０ａ、８３ａの稼動時に浮遊体収納ケース３１内の空気を循環させるためのパイプであり、浮遊体収納ケース３１の背面四隅に連通連結した中空円筒部材から構成されている。
【００９２】
ところで、本実施形態では備えていないが、浮遊体収納ケース３１の左右側壁にもファン取付けることができ、浮遊体４１，４２に左右方向への動きを加えて、その挙動をさらに複雑にすることもできる。
【００９３】
〔浮遊体の動作〕
ここで、本実施形態に係るパチンコ遊技機１０における浮遊体４１，４２の動作について、図面を用いて説明する。図８乃至図１０は、浮遊体４１，４２の動作の状態を説明するパチンコ遊技機１０の正面の模式図である。
【００９４】
また、外気を吸引しつつ所定領域３１ａ内に送風するように前記ファン８０ａ、８３ａを稼動させることを「正回転稼動」といい、一方、所定領域３１ａ内の空気を吸引しつつ外気側に排出するように前記ファン８０ａ、８３ａを稼動させることを「逆回転稼動」という。
【００９５】
まず、上側送風吸引機８０のファン８０ａを逆回転稼動させつつ、下側送風吸引機８３のファン８３ａを正回転稼動させる。そうすることで、下側送風吸引機８３に連結されたパイプ体８５ａ、８５ｂから吸引した外気を、前記格納部８３ｃを経由して前記ファン８３ａから所定領域３１ａ内へと送風しつつ、上側送風吸引機８０のファン８３ａは当該所定領域３１ａ内の空気を吸引し、前記格納部８０ｃを経由して前記上側送風吸引機８０に連結されたパイプ体８１ｂから外気側に排出する。すなわち、前記所定領域３１ａ内では、下から上に向けての空気流が生じ、前記ファン８０ａ、８３ａの例えば回転数に応じた風速で空気が流れる。したがって、所定領域３１ａ内では風速に応じて下から上に向けての風力が生じており、この状態で前記蓋体８７ｃ、８７ｄを開放すると、浮遊体収納部８７に収納された浮遊体４１，４２が下から上に吹き上げられて、図８〜図１０に示すように、所定領域３１ａ内に導入される。
【００９６】
このファン８０ａの駆動を、例えば、遊技状態がリーチ状態になった場合に行なうようにして、遊技状態の変化に応じて浮遊体４１（４２）の浮遊動作を変化させることができる。すなわち、図８（ａ）に示すように、リーチ状態（ここでは「７−＊−７」）になると、浮遊体４１が下側から所定領域３１ａ内に吹き出され、その下半部程度で舞うようにファン８０ａを制御し、図８（ｂ）に示すように、大当たりが確定すると（ここでは「７−７−７」）、ファン８０ａの回転数を上げて所定領域３１ａの全体に浮遊体４１が乱舞させるのである。
【００９７】
このように、浮遊体の浮遊動作の変化としては、複数の浮遊体４１が浮遊する範囲を変化させることができる。すなわち、ファン８０ａ、８３ａの回転数を調節して、前記浮遊体４１が浮遊する範囲を切り換えるのである。例えば、前記ファン８０ａ、８３ａの回転数を上げて下から上向きの風速を上昇させることで、図８（ｂ）に示すように、複数の浮遊体４１を所定領域３１ａ内の上部まで吹き上げつつその前記所定領域３１ａ内の全体範囲で浮遊可能とし、一方、前記ファン８０ａ、８３ａの回転数を下げて前記風速を下降させて、図８（ａ）に示すように、複数の浮遊体４１を所定領域３１ａの下部の高さに吹き上げつつ、前記所定領域３１ａ内の下側の範囲で浮遊させるのである。なお、これらの浮遊体の浮遊する範囲の切換えは、本実施形態におけるファンの回転数によるものに限らず、例えば公知のダンパーによる調節によるものであってもよい。
【００９８】
また、浮遊体４１が浮遊する範囲を変化させることで、遊技状態が変化する確率を報知することもできる。
【００９９】
すなわち、図８（ａ）に示すように、リーチ状態であっても浮遊体４１が所定領域３１ａの下半部程度で舞っている場合は、大当たりに到る可能性が低く、所定領域３１ａの全体を舞っている場合は、図８（ａ）に示すように、そのまま大当たりに到る確率が高い、というように、浮遊体４１を報知手段として用いることができる。
【０１００】
ところで、本実施形態では、左浮遊体収納部８７ａ及び右浮遊体収納部８７ｂには異なる浮遊体４１（４２）を収納しているが、両方共に同じ種類の浮遊体（例えば花びら型の浮遊体４１）を収納しておくこともできる。そして、リーチ状態においては一方の浮遊体収納部８７に収納されている浮遊体４１を用いて少量の花吹雪で演出し、大当たりが確定すると、左浮遊体収納部８７ａ及び右浮遊体収納部８７ｂの両方に収納されている浮遊体４１全てを用いて大量の花吹雪が実現するようにファン８０ａを制御することができる。
【０１０１】
例えば、左浮遊体収納部８７ａの蓋体８７ｃのみを開放すれば、当該左浮遊体収納部８７ａに収納された浮遊体４１が所定領域３１ａ内に導入され（図９（ａ））、さらに前記右浮遊体収納部８７ｂの蓋体８７ｄを開放すれば、当該右浮遊体収納部８７ｂに収納された浮遊体４１も所定領域３１ａ内に導入される（図９（ｂ））。
【０１０２】
そして、浮遊体４１（４２）の数量によって、遊技状態が変化する確率を報知することもできる。例えば、リーチ状態になった場合に、このリーチ状態から大当たりに到る確率を浮遊体４１（４２）の数量で報知するのである。例えば、図９（ａ）に示すように、浮遊体４１の数量が少ない場合は、大当たりに到る確率が低く、この場合は、かなりの確率で外れとなってしまう。また、図９（ｂ）に示すように浮遊体４１の数量が多い場合は、大当たりに到る確率が高く、遊技者の期待も大きく膨らむことになる。
【０１０３】
また、図９（ａ）、（ｂ）では、識別情報であって、なおかつ演出画像の一つである装飾図柄の図柄が異なっている。すなわち、図９（ａ）に示すように、例えば「２−＊−２」のリーチ状態では、上述したように前記左浮遊体収納部８７ａに収納された浮遊体４１のみを前記所定領域３１ａ内に導入し、識別情報が例えば「７−＊−７」のリーチ状態では、左右浮遊体収納部８７ａ、８７ｂに収納された浮遊体４１を両方とも前記所定領域３１ａ内に導入して浮遊体４１の数量を増加させる、というように、浮遊体４１と演出画像との組合せを切り換えることもできる。
【０１０４】
さらに、演出図柄と浮遊体４１（４２）との組合せに応じて、遊技状態が変化する確率を報知することもできる。
【０１０５】
すなわち、装飾図柄の他に、演出画像表示領域３２ａ上にはキャラクタ画像などを用いて演出表示がなされるが、このキャラクタ画像の種類と、浮遊体４１の数量や浮遊範囲、あるいは種類などを組合せ、その組合せにより、大当たりに到る可能性を報知するのである。
【０１０６】
例えば、図５に示すように、本実施形態では、左浮遊体収納部８７ａに花びら型の浮遊体４１を収納し、右浮遊体収納部８７ｂに鳥型の浮遊体４２を収納している。そして、左浮遊体収納部８７ａの蓋体８７ｃのみを開放させることで、図１０（ａ）に示すように、浮遊体４１を前記所定領域３１ａ内に導入可能となり、右浮遊体収納部８７ｂの蓋体８７ｄのみを開放させることで、図１０（ｂ）に示すように、鳥型の浮遊体４２を前記所定領域３１ａ内に導入可能となる。
【０１０７】
他方、演出画像表示領域３２ａに、例えば背景画像として桜並木の画像が表示される場合と、大空と海との画像が表示される場合などがあり、この背景画像と浮遊体４１（４２）との組合せによって、遊技状態が変化する確率を報知するのである。例えば、大空と海の背景画像であるにもかかわらず花びら型の浮遊体４１が舞うと、通常遊技状態であればリーチ状態になる確率は低く、また、リーチ状態であれば大当たりに到る確率が低いが、背景が桜並木画像の場合に花びら型の浮遊体４１が舞うと、通常遊技状態であればリーチ状態になる確率が高く、また、リーチ状態であれば大当たりに到る確率が高いことを示すのである。
【０１０８】
なお、浮遊体４１，４２を用いた演出終了時には、前記浮遊体収納部８７の蓋体８７ｃ，８７ｄを開放させた状態で、上述の説明とは逆に上側送風吸引機８０のファン８０ａを正回転稼動に切替えて、下側送風吸引機８３のファン８３ａを逆回転稼動に切り換える。そうすることで、前記所定領域３１ａ内では、上から下に向けての空気流が生じ、それまで浮遊していた浮遊体４１（４２）は、下降しつつ所定領域３１ａ外に導出され、浮遊体収納部８７に収納される。
【０１０９】
そして、本実施形態では、この浮遊体４１（４２）の下降速度、すなわち浮遊体収納部８７に瞬時に収納されるか、緩やかに収納されるかという動作態様も浮遊動作に含まれており、この収納される様子の変化によって、遊技状態の変化を報知してもよい。例えば、同数量の浮遊体４１（４２）が同範囲で同じような態様で浮遊していても、緩やかに収納されると遊技状態が変化する可能性は低いが、瞬時に収納される場合は、遊技状態が変化する可能性が高い、といった報知も考えられる。
【０１１０】
なお、本実施形態のパチンコ遊技機１０は、浮遊体可動手段４３（特にファン８０ａ，８３ａ，ｂ）を制御して前記浮遊体４１，４２の挙動を制御する浮遊体制御手段を備えているが、これは、後に詳述する副制御回路２００がその機能を担っている。すなわち、浮遊体可動手段４３は、浮遊体制御手段として機能する副制御回路２００のサブＣＰＵ２０６からの信号を受けて駆動することで、遊技状態の変化に応じて前記を前記浮遊体４１，４２の挙動を漸次変えることができる。なお、その制御の詳細については後述する。
【０１１１】
なお、本実施形態において、画像を表示する部分として液晶ディスプレイパネルからなる液晶表示装置３２を採用したが、これに限らず、他の態様であってもよく、例えば、ＣＲＴ（Cathode  Ray  Tube）を含むブラウン管、ドットＬＥＤ、セグメントＬＥＤ、ＥＬ（Electronic  Luminescent）、プラズマ等からなるものであってもよい。また、本実施形態においては、液晶表示装置３２とは別に特別図柄表示器３３及び普通図柄表示器３５を備えるように構成したが、これに限らず、液晶表示装置３２に特別図柄及び普通図柄を変動表示させるように構成してもよい。また、識別情報の一つとして、装飾図柄を液晶表示装置３２で表示するようにしたが、これに限らず、別の態様であってもよく、例えば、識別情報が表面に記されたドラム、ベルト、リーフ等を用いてもよい。
【０１１２】
［遊技機の電気的構成］
ここで、本実施形態におけるパチンコ遊技機１０の制御回路について図１１を用いて説明する。図１１は、本実施形態におけるパチンコ遊技機１０の制御回路を示すブロック図である。
【０１１３】
本実施形態におけるパチンコ遊技機１０の制御回路は、主に、遊技制御手段としての主制御回路６０と、演出制御手段としての副制御回路２００とから構成される。主制御回路６０は、遊技の制御を行うものであり、副制御回路２００は、遊技の進行に応じた演出の制御（例えば、画像表示制御、音声出音制御、装飾ランプ制御、浮遊体制御等）を行うものである。
【０１１４】
主制御回路６０は、図１１に示すように、制御手段であるメインＣＰＵ６６、メインＲＯＭ（読み出し専用メモリ）６８、メインＲＡＭ（読み書き可能メモリ）７０を備えている。この主制御回路６０は、遊技の進行を制御する。
【０１１５】
メインＣＰＵ６６には、メインＲＯＭ６８、メインＲＡＭ７０等が接続されており、このメインＲＯＭ６８に記憶されたプログラムに従って、各種の処理を実行する機能を有する。このように、このメインＣＰＵ６６は、例えば、特別遊技実行手段や抽選手段として機能するなど、後述する各種の手段として機能することとなる。
【０１１６】
メインＲＯＭ６８には、メインＣＰＵ６６によりパチンコ遊技機１０の動作を制御するためのプログラムが記憶されており、その他には、乱数抽選によって大当たり判定をする際に参照される大当たり抽選テーブル（図１２参照）等の各種のテーブルが記憶されている。
【０１１７】
メインＲＡＭ７０は、メインＣＰＵ６６の一時記憶領域として種々のフラグや変数の値を記憶する機能を有する。
【０１１８】
また、この主制御回路６０は、所定の周波数のクロックパルスを生成するリセット用クロックパルス発生回路６２、電源投入時においてリセット信号を生成する初期リセット回路６４、後述する副制御回路２００に対してコマンドを供給するためのシリアル通信用ＩＣ７２を備えている。また、これらのリセット用クロックパルス発生回路６２、初期リセット回路６４、シリアル通信用ＩＣ７２は、メインＣＰＵ６６に接続されている。なお、このリセット用クロックパルス発生回路６２は、後述するシステムタイマ割込処理を実行するために、所定の周期（例えば２ミリ秒）毎にクロックパルスを発生する。尚、このシリアル通信用ＩＣ７２は、各種のコマンドを副制御回路２００（副制御回路２００に含まれる各種の手段）へ送信する送信手段に相当する。
【０１１９】
また、主制御回路６０には、各種の装置が接続されており、例えば、図１１に示すように、Ｖ・カウントセンサ１０２、カウントセンサ１０４、一般入賞球センサ１０６、１０８、１１０、１１２、通過球センサ１１４、始動入賞球センサ１１６、普通電動役物ソレノイド１１８、大入賞口ソレノイド１２０、シーソーソレノイド１２２、バックアップクリアスイッチ１２４が接続されている。
【０１２０】
Ｖ・カウントセンサ１０２は、大入賞口３９における特定領域に設けられている。このＶ・カウントセンサ１０２は、大入賞口３９における特定領域を遊技球が通過した場合に、所定の検知信号を主制御回路６０に供給する。
【０１２１】
カウントセンサ１０４は、大入賞口３９における特定領域とは異なる一般領域に設けられている。このカウントセンサ１０４は、大入賞口３９における一般領域を遊技球が通過した場合に、所定の検知信号を主制御回路６０に供給する。
【０１２２】
一般入賞球センサ１０６、１０８、１１０、１１２は、一般入賞口５６ａ〜５６ｄにそれぞれ設けられている。この一般入賞球センサ１０６、１０８、１１０、１１２は、各一般入賞口５６ａ〜５６ｄへ遊技球が入賞した場合に、所定の検知信号を主制御回路６０に供給する。
【０１２３】
通過球センサ１１４は、通過ゲート５４に設けられている。この通過球センサ１１４は、通過ゲート５４を遊技球が通過した場合に、所定の検知信号を主制御回路６０に供給する。
【０１２４】
遊技球検出手段である始動入賞球センサ１１６は、始動口２５に設けられている。始動入賞球センサ１１６は、始動口２５に遊技球が入賞したことを検出して、所定の検知信号を主制御回路６０に供給する。
【０１２５】
普通電動役物ソレノイド１１８は、リンク部材（図示せず）を介して羽根部材２３に接続されており、メインＣＰＵ６６から供給される駆動信号に応じて、羽根部材２３を開放状態又は閉鎖状態とする。
【０１２６】
大入賞口ソレノイド１２０は、図４に示すシャッタ４０に接続されており、メインＣＰＵ６６から供給される駆動信号に応じて、シャッタ４０を駆動させ、大入賞口３９を開放状態又は閉鎖状態とする。
【０１２７】
シーソーソレノイド１２２は、板形状でシャッタ４０内部に設けられているシーソー（図示せず）に接続されており、メインＣＰＵ６６から供給される駆動信号に応じて、シーソーを変位させ、そのシーソーの傾斜を変更する。このシーソーが傾斜された結果、特定領域を通過しやすくなるように又は一般領域を通過しやすくなるように切り替えることとなる。
【０１２８】
バックアップクリアスイッチ１２４は、パチンコ遊技機１０に内蔵されており、電断時等におけるバックアップデータを遊技場の管理者の操作に応じてクリアする機能を有する。
【０１２９】
また、主制御回路６０には、払出・発射制御回路１２６が接続されている。この払出・発射制御回路１２６には、遊技球の払出を行なう払出装置１２８、遊技球の発射を行なう発射装置１３０、カードユニット１５０が接続されている。
【０１３０】
さらに、主制御回路６０には、ランプ制御回路７６が接続されており、このランプ制御回路７６は、メインＣＰＵ６６からの指示に従い、特別図柄保留ランプ３４ａ〜３４ｄ、普通図柄保留ランプ５０ａ〜５０ｄ、特別図柄表示器３３（７セグメントＬＥＤ４１）、普通図柄表示器３５（表示用ランプ）等を制御する。
【０１３１】
一方、シリアル通信用ＩＣ７２には、副制御回路２００が接続されている。この副制御回路２００は、主制御回路６０から供給される各種のコマンドに応じて、液晶表示装置３２における表示制御、スピーカ４６から発生させる音声に関する制御、装飾ランプ１３３ａ，１３３ｂの制御等を行なう。
【０１３２】
なお、本実施形態においては、主制御回路６０から副制御回路２００に対してコマンドを供給するとともに、副制御回路２００から主制御回路６０に対して信号を供給できないように構成したが、これに限らず、副制御回路２００から主制御回路６０に対して信号を送信できるように構成しても問題ない。
【０１３３】
副制御回路２００は、本実施形態の要部である浮遊体４１，４２の挙動を制御する浮遊体制御手段、可変表示制御手段、音発生制御手段としてのサブＣＰＵ２０６、記憶手段としてのプログラムＲＯＭ２０８、ワークＲＡＭ２１０、液晶表示装置３２における表示制御を行うための表示制御回路２５０、スピーカ４６から発生させる音声に関する制御を行う音声制御回路２３０、装飾ランプなどのランプ１３３ａ，１３３ｂの制御を行うランプ制御回路２４０及び浮遊体制御回路２６０とから構成されている。副制御回路２００は、主制御回路６０からの指令に応じて遊技の進行に応じた演出を実行する。
【０１３４】
サブＣＰＵ２０６には、プログラムＲＯＭ２０８、ワークＲＡＭ２１０等が接続されている。サブＣＰＵ２０６は、このプログラムＲＯＭ２０８に記憶されたプログラムに従って、各種の処理を実行する機能を有する。特に、サブＣＰＵ２０６は、後述するように、主制御回路６０から供給される各種のコマンドに従って、副制御回路２００の制御を行う。
【０１３５】
プログラムＲＯＭ２０８には、上述した遊技状態の変化に応じて浮遊体４１，４２の挙動を変えるために、サブＣＰＵ２０６により実行される浮遊体４１，４２の複数種類の浮遊動作に対応させた挙動パターンデータや、パチンコ遊技機１０の特別図柄の変動表示に関連して実行される液晶表示装置３２の画像表示に伴う複数種類の演出画像データや、大当たり遊技中のラウンドゲームに関連して実行される複数種類の演出画像データが記憶されており、その他には、リーチ演出の表示期間を定めたリーチ時間テーブル等各種のテーブルも記憶されている。なお、前記プログラムＲＯＭ２０８には、複数の演出形態（画像演出、光や音による演出、浮遊体を用いた演出など）の中からいずれの演出形態を実行するかを抽選処理により決定する際に用いられる演出テーブルが記憶されている。そして、各演出形態に定められた抽選値によって、所謂「信頼度」も定められることになる。
【０１３６】
ワークＲＡＭ２１０は、サブＣＰＵ２０６の一時記憶領域として種々のフラグや変数の値を記憶する機能を有する。例えば、リーチ演出時間を制御するためのタイマ変数、演出パターンを選択するための演出表示選択用乱数カウンタ等、各種の変数等が位置付けられている。
【０１３７】
表示制御回路２５０は、サブＣＰＵ２０６から供給される、特別図柄の変動表示に関連して実行される演出表示の進行に伴う複数種類の演出パターンや、大当たり遊技中のラウンドゲームに関連して実行される複数種類の演出パターン等の演出画像データ等を、液晶表示装置３２に画像を表示させる制御を行うものである。
【０１３８】
音声制御回路２３０は、サブＣＰＵ２０６から供給される音声発生命令に応じて、スピーカ４６から音声を発生させるものである。
【０１３９】
ランプ制御回路２４０は、サブＣＰＵ２０６から供給されるプログラムＲＯＭ２０８に記憶されたプログラムに従って、装飾ランプ１３３ａ，１３３ｂの発光制御を行うものである。
【０１４０】
浮遊体制御回路２６０は、上述した浮遊体可動手段４３に接続され、プログラムＲＯＭ２０８に記憶されたプログラムに従って、サブＣＰＵ２０６からの指示により前記浮遊体可動手段４３のファン８０ａ、８３ａ，８３ｂを制御して、前記浮遊体４１，４２の挙動を制御する。
【０１４１】
なお、本実施形態においては、パチンコ遊技機１０の制御回路において、遊技制御手段としての主制御回路６０と、演出制御手段としての副制御回路２００を別々に構成しているが、主制御回路６０と副制御回路２００とを同じ基板で構成してもかまわない。
【０１４２】
なお、本実施形態においては、プログラム、テーブル等を記憶する記憶手段として、主制御回路６０ではメインＲＯＭ６８を、副制御回路２００ではプログラムＲＯＭ２０８を用いるように構成したが、これに限らず、制御手段を備えたコンピュータにより読み取り可能な記憶媒体であれば別態様であってもよく、例えば、ハードディスク装置、ＣＤ−ＲＯＭ及びＤＶＤ−ＲＯＭ、ＲＯＭカートリッジ等の記憶媒体に、プログラム、テーブル等が記録されていてもよい。また、これらのプログラムは、予め記録されているものでなくとも、電源投入後にこれらのプログラムをダウンロードし、主制御回路６０ではメインＲＡＭ７０、副制御回路２００ではワークＲＡＭ２１０等に記録されるものでもよい。なお、本実施形態においては、メインＣＰＵ６６の一時記憶領域としてメインＲＡＭ７０を、サブＣＰＵ２０６の一時記憶領域としてワークＲＡＭ２１０を用いているが、これに限らず、読み書き可能な記憶媒体であればよい。
【０１４３】
［遊技機の動作］
ここで、本実施形態におけるパチンコ遊技機１０の遊技状態について簡潔に説明する。本実施形態においては、パチンコ遊技機１０の遊技状態は、大別して一般遊技状態（大当たりの抽選を行いながら遊技球を消費する、所謂遊技者に不利な状態）と大当たり遊技状態（遊技者にとって短時間で大量の遊技球の獲得が期待できる、所謂遊技者にとって有利な状態）に分かれる。そして、前記一般遊技状態においては、詳細は後述するが、パチンコ遊技機１０の遊技状態の変化に応じて、通常モード、確変モードまたは時短モードに分かれる。さらに、前記大当たり遊技状態においては、後述の特別図柄制御処理において抽選された、前記特別図柄表示器３３に停止表示される特定の数字図柄により、１５Ｒ確変大当たり遊技状態、２Ｒ確変大当たり遊技状態又は１５Ｒ通常大当たり遊技状態の、３種類の大当たり遊技状態が決定する。
【０１４４】
前記一般遊技状態における確変モード又は時短モードでは、特別図柄及び普通図柄が変動表示を開始して停止表示されるまでの変動時間が、通常モードよりも短く設定され、さらに、前記普通図柄の抽選の結果が“当たり”の場合（つまり、前述した普通図柄表示器３５において、表示用ランプが“○”で停止表示された場合）、始動口２５に付設された羽根部材２３の開放時間が通常モードよりも長く設定される。そのため、始動口２５に遊技球が入賞し易くなるので、単位時間当たりの大当たり抽選回数が通常モードに比べて著しく増加かし、かつ始動口２５への入賞に対する賞球の払い出しも増加するため、遊技球の目減りが少なく、遊技者にとって有利な状態といえる。
【０１４５】
また、前記時短モードは、前記特別図柄の変動回数を所定回数（例えば１００回）消化すると、前記一般遊技状態は時短モードから通常モード（パチンコ遊技機１０において最も基本的な一般遊技状態）に移行する。一方、前記確変モードにおいては、次の大当たり遊技状態に当選するまで、確変モードは維持される。さらに、確変モードでは、図１２の大当たり抽選テーブルに示すように、大当たり抽選の当選確率が通常モードや時短モードよりも高確率に設定されている。
【０１４６】
本実施形態における前記３種類の大当たり遊技状態（１５Ｒ確変大当たり遊技状態、２Ｒ確変大当たり遊技状態又は１５Ｒ通常大当たり遊技状態）は、後述の特別図柄制御処理において、前記大当たり抽選テーブル（図１２参照）を参照して、一般遊技状態（通常モード、時短モード又は確変モード）によってそれぞれ異なる抽選確率で抽選される。このとき、大当たり遊技状態に当選すると、前記特別図柄表示器３３に停止表示される特別図柄は、１５Ｒ確変大当たり遊技状態の場合は、例えば、“７”の特別図柄が表示され、２Ｒ確変大当たり遊技状態の場合は、例えば、“３”の特別図柄が表示される。また、１５Ｒ通常大当たり遊技状態の場合は、例えば、“５”の特別図柄が表示される。そして、１５Ｒ確変大当たり遊技状態又は２Ｒ確変大当たり遊技状態の終了後は、前記一般遊技状態は確変モードが設定され、１５Ｒ通常大当たり遊技状態終了後は、前記一般遊技状態は時短モードが設定される。すなわち、１５Ｒ確変大当たり遊技状態又は２Ｒ確変大当たり遊技状態においては、当該大当たり遊技状態終了後に、一般遊技状態が確変モードに設定されるため、遊技者にとって最も有利な遊技状態といえる。
【０１４７】
以下、パチンコ遊技機１０で実行される処理を図１３〜図１８に示す。
【０１４８】
［メイン処理］
最初に、図１３に示すように、主制御回路６０のメインＣＰＵ６６は、ＲＡＭアクセス許可、バックアップ復帰処理、作業領域を初期化等の初期設定処理を実行する（ステップＳ１１）。そして、詳しくは図１５を用いて後述するが、特別図柄ゲームの進行、液晶表示装置３２、特別図柄表示器３３に表示される特別図柄、装飾図柄に関する特別図柄制御処理を実行する（ステップＳ１２）。そして、詳しくは、図１７を用いて後述するが、普通図柄ゲームの進行、普通図柄表示器３５に表示される普通図柄に関する普通図柄制御処理を実行する（ステップＳ１３）。このように、メイン処理においては、ステップＳ１１の初期設定処理が終了した後、ステップＳ１２及びステップＳ１３の処理を繰り返し実行することとなる。
［システムタイマ割込処理］
また、メインＣＰＵ６６は、メイン処理を実行している状態であっても、メイン処理を中断させ、システムタイマ割込処理を実行する場合がある。リセット用クロックパルス発生回路６２から所定の周期（例えば２ミリ秒）毎に発生されるクロックパルスに応じて、以下のシステムタイマ割込処理を実行する。このシステムタイマ割込処理について図１４を用いて説明する。
【０１４９】
最初に、図１４に示すように、メインＣＰＵ６６は、大当たり抽選用乱数値等の各抽選値を更新する乱数更新処理を実行する（ステップＳ２１）。そして、メインＣＰＵ６６は、始動口２５等への遊技球の入賞を検知する入力検出処理を実行する（ステップＳ２２）。この処理においては、メインＣＰＵ６６は、各種の入賞口に遊技球が入賞したことを条件として、遊技球を払出す（賞球する）旨のデータをメインＲＡＭ７０の所定領域に記憶することとなる。そして、主制御回路６０と副制御回路２００との同期をとるための待ち時間タイマ、大当たりが発生した際に開放する大入賞口３９の開放時間を計測するための大入賞口開放タイマ等、各種のタイマの更新処理を実行する（ステップＳ２３）。そして、この処理が終了するとステップＳ２４へ処理を移す。
【０１５０】
ステップＳ２４においては、出力処理を実行する。この処理において、メインＣＰＵ６６は、メインＲＡＭ７０の所定の領域に記憶されている各種の出力要求に基づいて駆動制御するための信号をソレノイド、モータ等に供給する。すなわち、後述する各処理において、メインＣＰＵ６６は、各種駆動遊技部材（つまり、パチンコ遊技機１０の遊技領域１５に配設されており、なおかつ遊技状態に応じて、その形態を変化させる遊技部材）に対する信号出力要求が、メインＲＡＭ７０の所定領域に記憶された場合は、それに応じた信号を出力する。例えば、始動口２５に付設されている羽根部材２３を開放又は閉鎖するための普通電動役物ソレノイド１１８、大入賞口３９に付設されているシャッタ４０を開放又は閉鎖するための大入賞口ソレノイド１２１などの各ソレノイドの駆動要求があった場合、制御信号を出力して、各種駆動遊技部材を駆動させる処理を行なう。そして、この処理が終了した場合には、ステップＳ２５に処理を移す。
【０１５１】
ステップＳ２５においては、コマンド出力処理を実行する。この処理において、メインＣＰＵ６６は、各種のコマンドを副制御回路２００に供給する。これらの各種のコマンドとしては、具体的には、上述した浮遊体４１，４２の挙動パターンの種類を示す浮遊体挙動パターン指定コマンド、デモ表示コマンド、導出表示される特別図柄の種類を示す導出図柄指定コマンド等が含まれる。この処理が終了した場合には、ステップＳ２６に処理を移す。
【０１５２】
そして、ステップＳ２６の処理において、メインＣＰＵ６６は、払出装置１２８に賞球を行わせるための賞球制御コマンドを払出・発射制御回路１２６へ送信する等の払出処理を実行する。具体的には、メインＣＰＵ６６は、各種の入賞口に遊技球が入賞することで予め設定された所定数の賞球払出を行うための賞球制御コマンドを払出・発射制御回路１２６へ供給する。この処理が終了した場合には、本サブルーチンを終了し、割込発生前のアドレスへ復帰し、メイン処理を実行させる。
［特別図柄制御処理］
図１３のステップＳ１２において実行される特別図柄制御処理について図１５を用いて説明する。
【０１５３】
最初に、ステップＳ３１の処理において、メインＣＰＵ６６は、特別図柄制御フラグをロードする。この処理において、メインＣＰＵ６６は、特別図柄制御フラグを読み出しステップＳ３２に処理を移す。
【０１５４】
ステップＳ３２においては、メインＣＰＵ６６は、特別図柄制御フラグが（００）であるか否かを判断し、特別図柄制御フラグが（００）でない場合には、ステップＳ３４に処理を移す。また、特別図柄制御フラグが（００）の場合には、ステップＳ３３へ処理を移し、特別図柄記憶チェック処理を行う。この特別図柄記憶チェック処理では、詳細は後述するが、特別図柄の保留個数を調べ、保留個数がある場合に、“大当たり”の抽選、特別図柄の変動開始、特別図柄変動タイマのセット等を行い、特別図柄制御フラグに次のステップの処理要求である（０１）をセットして処理を終了する。
【０１５５】
ステップＳ３４においては、メインＣＰＵ６６は、特別図柄制御フラグが（０１）であるか否かを判断し、特別図柄制御フラグが（０１）でない場合には、ステップＳ４０に処理を移す。また、特別図柄制御フラグが（０１）の場合には、特別図柄変動時間監視処理を行う。すなわち、ステップＳ３５において、特別図柄変動タイマがタイムアップ（つまり“０”）か否かを判断し、タイムアップしていなければ処理を終了する。そしてタイムアップした場合は、メインＣＰＵ６６は、ステップＳ３６で特別図柄の停止処理を行うとともに、メインＲＡＭ７０に記憶されている特別図柄保留個数を“１”減少するように記憶更新する。さらに、メインＣＰＵ６６は、一般遊技状態が時短モードであるか判断し、時短モードの場合はメインＲＡＭ７０に記憶されている時短回数を“１”減少するように記憶更新し、そして、時短回数が“０”（つまり時短モードの終了）になった場合は、一般遊技状態を通常モードにセットして、時短モードを終了させる。
【０１５６】
次に、メインＣＰＵ６６は、ステップＳ３７において特別図柄が大当たりか否かを判断し、大当たりでなければステップＳ３９において、特別図柄制御フラグをクリア（つまり特別図柄記憶チェック処理を要求する値（００）をセットする）して処理を終了する。また、特別図柄が大当たりであった場合は、ステップＳ３８の大入賞口開放待ち処理を行う。大入賞口開放待ち処理では、メインＣＰＵ６６は、特別図柄制御フラグに大入賞口開放待ちを示す値（０２）をセットし、待ち時間（例えば１秒）を大入賞口開放待ちタイマにセットして処理を終了する。
【０１５７】
ステップＳ４０においては、メインＣＰＵ６６は、特別図柄制御フラグが（０２）であるか否かを判断し、特別図柄制御フラグが（０２）でない場合には、ステップＳ４３に処理を移す。また、特別図柄制御フラグが（０２）の場合には、大入賞口開放処理を行う。大入賞口開放処理では、まず、メインＣＰＵ６６は、ステップＳ４１で大入賞口開放待ちタイマがタイムアップ（つまり“０”）かを判断し、タイムアップしていなければ処理を終了する。そしてタイムアップした場合は、ステップＳ４２で大入賞口開放処理を行う。この大入賞口開放処理では、メインＣＰＵ６６は、まず大入賞口３９の開放をセット（メインＲＡＭ７０の所定の領域に、シャッタ４０による大入賞口ソレノイド１２０の開放指示を記憶する）し、次に大当たりの種類によって大入賞口開放タイマに大入賞口３９の開放時間（例えば、大当たりが１５Ｒ確変大当たり、又は１５Ｒ普通大当たりの場合は３０秒、２Ｒ確変大当たりの場合は１秒）をセットする。そして、特別図柄制御フラグに大入賞口開放監視処理を示す値（０３）をセットし処理を終了する。
【０１５８】
ステップＳ４３においては、メインＣＰＵ６６は、特別図柄制御フラグが（０３）であるか否かを判断し、特別図柄制御フラグが（０３）でない場合には、ステップＳ５０に処理を移す。また、特別図柄制御フラグが（０３）の場合には、大入賞口開放監視処理を行う。大入賞口開放監視処理では、まずメインＣＰＵ６６は、ステップＳ４４で大入賞口開放タイマがタイムアップ（つまり“０”）したか、又は、大入賞口３９へ規定の個数の遊技球が入賞したか否かを判断する。そして大入賞口開放タイマのタイムアップ、同時に、大入賞口３９へ規定の個数の遊技球が入賞していなければ処理を終了する。そして入賞口開放タイマのタイムアップ、又は、大入賞口３９へ規定の個数の遊技球が入賞のいずれか一方の条件を満たしたことで、ステップＳ４５へ処理を移行する。
【０１５９】
ステップＳ４５においては、メインＣＰＵ６６は、大入賞口閉鎖処理（メインＲＡＭ７０の所定の領域に、シャッタ４０による大入賞口ソレノイド１２０の閉鎖指示を記憶する）を実行してステップＳ４６へ処理を移す。
【０１６０】
ステップＳ４６においては、メインＣＰＵ６６は、大入賞口開放回数（所謂ラウンド数）をカウントし、規定回数（１５Ｒ通常大当たり又は１５Ｒ確変大当たりでは１５回、２Ｒ確変大当たりでは２回）に達したか否かを判断し、規定回数に達した場合はステップＳ４９で特別図柄制御フラグに大当たり終了処理を要求する値（０４）をセットし処理を終了する。また、メインＣＰＵ６６は、大入賞口開放回数が規定回数に達していなかった場合は、ステップＳ４７で、大入賞口３９へ入賞した遊技球が所定の特定領域を通過したか否かを判断し、大入賞口３９へ入賞した遊技球が所定の特定領域を通過しなかった場合（Ｖ・カウントセンサ１０２が遊技球の通過を検出しなかった場合）は、ステップＳ４９で特別図柄制御フラグに大当たり終了処理を要求する値（０４）をセットし処理を終了する。一方、メインＣＰＵ６６は、大入賞口３９へ入賞した遊技球が所定の特定領域を通過した（つまり、Ｖ・カウントセンサ１０２が遊技球の通過を検出した）場合は、ステップＳ４８へ処理を移す。
【０１６１】
ステップＳ４８では、メインＣＰＵ６６は、大入賞口開放待ち処理を行う。大入賞口開放待ち処理では、特別図柄制御フラグに再度大入賞口３９の開放を要求する値（０２）をセットし、待ち時間（例えば１秒）を大入賞口開放待ちタイマにセットして処理を終了する。
【０１６２】
ステップＳ５０においては、メインＣＰＵ６６は、大当たり終了処理を行う。大当たり終了処理では、大当たり図柄が１５Ｒ確変大当たり又は２Ｒ確変大当たりの場合は、一般遊技状態を確変モードとし、大当たり図柄が１５Ｒ通常大当たりの場合には、一般遊技状態を時短モードとして、さらに時短モード中の特別図柄の変動回数の上限（例えば１００回）をメインＲＡＭ７０の所定の領域に記憶する。最後にメインＣＰＵ６６は、特別図柄制御フラグをクリア（つまり特別図柄記憶チェック処理を要求する値（００）をセットする）して、特別図柄制御処理を終了する。
［特別図柄記憶チェック処理］
図１５のステップＳ３３において実行される特別図柄記憶チェック処理について図１６を用いて説明する。
【０１６３】
最初に、メインＣＰＵ６６は、ステップＳ６１において、特別図柄保留個数が“０”であるか否かを判断し、特別図柄の保留個数が“０”の場合には、ステップＳ６２に処理を移し、特別図柄の保留個数が“０”でない場合（つまり、特別図柄の変動要求がある場合）には、ステップＳ６３に処理を移す。
【０１６４】
ステップＳ６２においては、デモ表示処理を実行する。この処理において、メインＣＰＵ６６は、デモ表示を行わせるために、副制御回路２００にデモ表示コマンドを供給するためのデータを、メインＲＡＭ７０の所定の領域に記憶する。これによって、副制御回路２００において、客待ち状態（所定の待機状態）となったことを認識することができる。この処理が終了した場合には、特別図柄記憶チェック処理を終了する。
【０１６５】
ステップＳ６３においては、メインＣＰＵ６６は、特別図柄変動時間管理を要求する値（０１）を、特別図柄制御フラグにセットし、ステップＳ６４に処理を移す。
【０１６６】
ステップＳ６４においては、大当たり抽選処理を実行する。この処理において、メインＣＰＵ６６は、一般遊技状態を読み出し、読み出した一般遊技状態に基づいて、大当たりの抽選値が異なる複数の大当たり抽選テーブル（図６参照）から１つの大当たり抽選テーブルを選択する。そして、始動口２５へ遊技球が入賞した時に抽出された大当たり抽選用乱数値と、前記選択された大当たり抽選テーブルを参照し、大当たりを抽選（１５Ｒ確変大当たり、２Ｒ確変大当たり、１５Ｒ通常大当たり又は“はずれ”のうちのいずれかを決定）する。ここで、図６の大当たり抽選テーブルに示すように、通常モード又は時短モードにおける大当たり抽選テーブルと確変モードにおける大当たり抽選テーブルでは、大当たりの抽選値は、通常モード及び時短モードでは７／４００（１５Ｒ通常大当たり、１５Ｒ確変大当たり及び２Ｒ確変大当たりの全て大当たり抽選値の合計）に設定されているのに対し、確変モードでは７０／４００（１５Ｒ通常大当たり、１５Ｒ確変大当たり及び２Ｒ確変大当たりの全て大当たり抽選値の合計）と設定されている。つまり、一般遊技状態における異なる遊技状態（通常モード、確変モード、時短モード）に基づいて大当たり抽選テーブルを選択することによって、大当たり遊技状態に移行する確率が異なることとなる。このように、一般遊技状態が確変モードである場合には、大当たり遊技状態に移行する確率は、通常モードや時短モードよりも向上することとなるので、遊技者にとって有利な状態といえる。この処理が終了した場合には、ステップＳ６５に処理を移す。
【０１６７】
ステップＳ６５においては、メインＣＰＵ６６は、大当たりであるか否かの判断処理を行う。この処理において、メインＣＰＵ６６は、前述したステップＳ６４の大当たり抽選処理における抽選結果が大当たりであった場合には、ステップＳ６６に処理を移し、大当たりでなかった場合には、ステップＳ６７に処理を移す。
【０１６８】
ステップＳ６６においては、大当たり図柄である特別図柄の決定処理を実行する。この処理において、メインＣＰＵ６６は、ステップＳ６４で決定された大当たりの種類に対応して表示される特別図柄を決定する。例えば、１５Ｒ確変大当たりに対しては、特別図柄は“７”が決定され、２Ｒ確変大当たりに対しては、特別図柄は“３”、又は、１５Ｒ通常大当たりに対しては、特別図柄は“５”というように、それぞれの大当たりに対応して特別図柄は決定される。そして、決定された特別図柄は、メインＲＡＭ７０の所定の領域に記憶される。これによって、特別図柄表示器３３に、大当たりに対応した特別図柄が導出表示されることとなる。この処理が終了した場合には、ステップＳ６８に処理を移す。
【０１６９】
ステップＳ６７においては、はずれ図柄の決定処理を実行する。この処理において、メインＣＰＵ６６は、はずれ図柄に対応した特別図柄（例えば“７”、“３”、“５”以外の数字）を決定し、メインＲＡＭ７０の所定領域に記憶する。これによって、特別図柄表示器３３に、はずれに対応した特別図柄が導出表示されることとなる。この処理が終了した場合には、ステップＳ６８に処理を移す。
【０１７０】
ステップＳ６８では、遊技状態判別処理を行う。この遊技状態判別処理において、メインＣＰＵ６６は、現在の一般遊技状態が、確変モード又は時短モードであるか否か判断し、確変モードもしくは時短モードの場合は、ステップＳ７０へ処理を移行する。一方、現在の一般遊技状態が確変モード又は時短モードでない（つまり、通常モード）と判断した場合は、ステップＳ６９において、通常モードの特別図柄変動時間（例えば１０秒）を、特別図柄変動タイマにセットし、メインＲＡＭ７０の所定の領域に記憶する。そして、ステップＳ７１へ処理を移行する。
【０１７１】
ステップＳ７０においては、メインＣＰＵ６６は、確変モード又は時短モードの特別図柄変動時間（通常モードの特別図柄変動時間より短い時間、例えば５秒）を、特別図柄変動タイマにセットし、メインＲＡＭ７０の所定の領域に記憶する。そして、ステップＳ７１へ処理を移行する。
【０１７２】
ステップＳ７１においては、メインＣＰＵ６６は、特別図柄表示器３３（図３参照）に対して、変動表示を開始させる要求をメインＲＡＭ７０の所定の領域に記憶して、ステップＳ７２へ処理を移す。この処理によって、特別図柄表示器３３においては、前記ステップＳ６９及びステップＳ７０で特別図柄変動タイマにセットされた変動時間にあわせて、特別図柄の変動表示が行なわれ、所定時間経過後（特別図柄変動タイマがタイムアップした後）前記ステップＳ６６及びステップＳ６７で決定された“大当たり”又は“ハズレ”の特別図柄が停止表示されることとなる。
【０１７３】
ステップＳ７２では、液晶表示装置３２の変動表示領域３２ｂに演出表示される装飾図柄や演出時間の決定処理を行う。この処理において、メインＣＰＵ６６は、ステップＳ６６又はステップＳ６７で記憶された“大当たり”又は“はずれ”のデータ、そしてステップＳ６９又はステップＳ７０で記憶された特別図柄変動時間等のデータに基づき、液晶表示装置３２の演出画像表示領域３２ａに演出表示される装飾図柄や演出時間を決定して、メインＲＡＭ７０の所定の領域に記憶する。そして、ここで記憶された装飾図柄や演出時間は、図８のステップＳ２５のコマンド出力処理により、主制御回路６０のメインＣＰＵ６６から副制御回路２００のサブＣＰＵ２０６に導出図柄指定コマンドとして供給される。これによって、副制御回路２００において、装飾図柄が液晶表示装置３２の変動表示領域３２ｂに導出表示されるとともに、装飾図柄の変動時間も決定される。つまり、特別図柄表示器３３で導出表示される特別図柄の変動時間と、液晶表示装置３２に導出表示される装飾図柄の変動時間は、同期して行われることとなる。
【０１７４】
［普通図柄制御処理］
図１３のステップＳ１３において実行されるサブルーチンについて図１７を用いて説明する。
【０１７５】
最初に、メインＣＰＵ６６は、ステップＳ１０１において、普通図柄制御フラグをロードする。この処理において、メインＣＰＵ６６は、普通図柄制御フラグを読み出す。この処理が終了した場合には、ステップＳ１０２に処理を移す。
【０１７６】
ステップＳ１０２においては、メインＣＰＵ６６は、普通図柄制御フラグが普通図柄記憶チェック要求を示す値（００）であるか否か判断し、普通図柄制御フラグが（００）でない場合はステップＳ１０４へ処理を移す。また、普通図柄制御フラグが（００）の場合は、ステップ１０３の普通図柄記憶チェック処理を行う。この普通図柄記憶チェック処理では、詳しくは図１２を用いて説明するが、メインＣＰＵ６６は、普通図柄の保留個数を調べ、保留個数がある場合に、普通図柄の当り判定、普通図柄の変動開始、普通図柄の変動タイマのセット等を行い、普通図柄制御フラグに次のステップの処理要求である（０１）をセットして処理を終了する。
【０１７７】
ステップＳ１０４においては、メインＣＰＵ６６は、普通図柄制御フラグが（０１）であるか否かを判断し、普通図柄制御フラグが（０１）でない場合は、ステップＳ１０７へ処理を移す。また、普通図柄制御フラグが（０１）である場合は、ステップＳ１０５において、普通図柄変動タイマがタイムアップ（つまり“０”）したかを判断し、タイムアップしていなかった場合は処理を終了する。一方、普通図柄変動タイマがタイムアップした場合は、メインＣＰＵ６６は、ステップＳ１０６において、普通図柄停止処理を行なう。この普通図柄停止処理においては、メインＣＰＵ６６は、普通図柄表示器３５に対して変動を停止する要求をセットし、メインＲＡＭ７０の所定の領域に記憶する。これにより、普通図柄表示器３５において、前記普通図柄記憶チェック処理で判定された、普通図柄の“当り”又は“はずれ”の判定結果が表示されることとなる。この処理が終了すると、メインＲＡＭ７０の所定の領域に記憶されている普通図柄保留個数を“１”減少するように記憶更新する。そして、普通図柄制御フラグに（０２）をセットして処理を終了する。
【０１７８】
ステップＳ１０７においては、メインＣＰＵ６６は、普通図柄制御フラグが（０２）であるか否かを判断し、普通図柄制御フラグが（０２）でない場合は、ステップＳ１１１へ処理を移す。また、普通図柄制御フラグが（０２）であった場合は、ステップＳ１０８へ処理を移し、普通図柄が当りか否かを判断する。そして、メインＣＰＵ６６は、普通図柄が当りであると判断した場合は、ステップＳ１０９の普通電役開放処理に処理を移す。一方、メインＣＰＵ６６は、普通図柄が当りではないと判断すると、ステップＳ１１０において、普通図柄制御フラグに普通図柄記憶チェックを要求する値（００）をセットして処理を終了する。
【０１７９】
ステップＳ１０９における普通電動役物開放処理では、メインＣＰＵ６６は、普通電動役物の羽根部材２３の開放処理（メインＲＡＭ７０の所定の領域に普通電動役物の開放を記憶する）を行う。さらに遊技台の遊技状態に合わせて、普通電動役物の羽根部材２３の開放時間（例えば、遊技状態が確変モード又は時短モードの場合は３秒、通常モードの場合は０．２秒）を普通電動役物開放タイマにセットし、普通図柄制御フラグに（０３）をセットして処理を終了する。
【０１８０】
ステップＳ１１１においては、メインＣＰＵ６６は、普通図柄制御フラグが（０３）であるか否かを判断し、普通図柄制御フラグが（０３）でない場合は、ステップＳ１１４へ処理を移す。また、普通図柄制御フラグが（０３）であった場合は、ステップＳ１１２へ処理を移し、普通電動役物開放タイマがタイムアップ（つまり“０”）したかを判断する。そして、普通電動役物開放タイマがタイムアップしていない場合は処理を終了する。一方、普通電動役物開放タイマがタイムアップしたと判断した場合は、ステップＳ１１３の普通電動役物閉鎖処理において、普通電動役物である羽根部材２３を閉鎖状態（メインＲＡＭ７０の所定の領域に普通電動役物の閉鎖を記憶する）にさせる。そして普通図柄制御フラグに（０４）をセットして処理を終了する。
【０１８１】
ステップＳ１１４においては、メインＣＰＵ６６は、普通図柄制御フラグをクリア（つまり普通図柄の記憶チェックを要求する値“００”をセット）して処理を終了する。
【０１８２】
［普通図柄記憶チェック処理］
図１７のステップＳ１０３において実行されるサブルーチンについて図１８を用いて説明する。
【０１８３】
最初に、ステップＳ１２１において、メインＣＰＵ６６は、普通図柄保留個数が“０”であるか否かの判断を行い、普通図柄保留個数が“０”であると判断した場合には、普通図柄記憶チェック処理を終了する。尚、この普通図柄保留個数はメインＲＡＭ７０の所定の領域に記憶され、通過ゲート５４を遊技球が通過したことを検出した場合に、所定個数（例えば“４”）を上限として“１”増加して記憶更新され、普通図柄ゲームにおける普通図柄の可変表示が終了したときには、“１”減算して記憶更新される。一方、メインＣＰＵ６６は、普通図柄の保留個数が“０”でないと判断した場合には、ステップＳ１２２において、普通図柄制御フラグに普通図柄変動タイマ監視要求の値“０１”をセットし、ステップＳ１２３へ処理を移す。
【０１８４】
ステップＳ１２３においては、普通図柄当り判定処理を実行する。この処理において、メインＣＰＵ６６は、普通図柄始動領域通過時に（通過ゲート５４を遊技球が通過することによって）抽出された普通図柄当り判定用乱数値と、メインＲＯＭ６８に記憶されている普通図柄当り判定値とを参照する。そして、メインＣＰＵ６６は、参照した結果、普通図柄当り判定用乱数値が普通図柄当り判定値と一致する場合には、当り図柄（例えば、“○”図柄）を示すデータをメインＲＡＭ７０の所定の領域に記憶する。一方、メインＣＰＵ６６は、参照した結果、普通図柄当り判定用乱数値が普通図柄当り判定値と一致しない場合には、はずれ図柄（例えば、“×”図柄）を示すデータをメインＲＡＭ７０の所定の領域に記憶する。このように記憶された当り図柄、はずれ図柄は、普通図柄表示器３５に導出普通図柄指定コマンドとして供給される。これによって、普通図柄表示器３５は、普通図柄の変動表示（例えば“○”、“×”図柄を交互に点滅させる）を開始する。この後、ステップＳ１２４に処理を移す。
【０１８５】
ステップＳ１２４においては、メインＣＰＵ６６は、一般遊技状態が確変モード又は時短モードであるか否かを判断し、一般遊技状態が確変モード又は時短モードであった場合は、ステップＳ１２６において、メインＣＰＵ６６は、通常モードより短い普通図柄変動停止時間（例えば５秒）を、普通図柄変動タイマにセットして処理を終了する。一方、遊技状態が確変モード又は時短モードでない（つまり通常モード）場合は、ステップＳ１２５において、メインＣＰＵ６６は、確変モード又は時短モードより長い普通図柄変動停止時間（例えば３０秒）を、普通図柄変動タイマにセットして処理を終了する。
【０１８６】
［副制御回路メイン処理］
一方、副制御回路２００は、副制御回路メイン処理を実行することとなる。この副制御回路メイン処理について図１９を用いて説明する。尚、この副制御回路メイン処理は、電源が投入されたときに開始される処理である。
【０１８７】
最初に、ステップＳ２０１において、サブＣＰＵ２０６は、ＲＡＭアクセス許可、作業領域を初期化等の初期設定処理を実行する。つまり、サブＣＰＵ２０６は、電源が投入されたことに基づいて、遊技を正常に行わせるための所定の初期設定を行うこととなる。尚、本実施形態においては、ステップＳ２０１を実行するサブＣＰＵ２０６は、初期設定手段の一例に相当する。この処理が終了した場合には、ステップＳ２０２に処理を移す。
【０１８８】
ステップＳ２０２において、サブＣＰＵ２０６は、乱数更新処理を実行する。この処理において、サブＣＰＵ２０６は、ワークＲＡＭ２１０の所定領域に位置付けられた各種の乱数値を更新する。この処理が終了した場合には、ステップＳ２０３に処理を移す。
【０１８９】
ステップＳ２０３において、サブＣＰＵ２０６は、コマンド解析処理を実行する。この処理において、サブＣＰＵ２０６は、主制御回路６０のメインＣＰＵ６６から送られてきたコマンドを解析し、その解析したコマンドに応じた処理を実行することとなる。この処理が終了した場合には、ステップＳ２０４に処理を移す。
【０１９０】
ステップＳ２０４において、サブＣＰＵ２０６は、表示制御処理を実行する。この処理において、サブＣＰＵ２０６は、前記コマンド解析処理において、主制御回路６０のメインＣＰＵ６６からの導出図柄指定コマンドを受信した場合に、その導出図柄指定コマンドに応じて複数の識別情報（例えば０〜９までの数字を示す装飾図柄など）を変動表示制御を、液晶表示装置３２の演出画像表示領域３２ａにおいて行うこととなる。
【０１９１】
そして、サブＣＰＵ２０６は、スピーカ４６から発生させる音の制御を行う音声制御処理（ステップＳ２０５）、各種のランプ１３３ａ，１３３ｂの発光制御を行うランプ制御処理を実行する（ステップＳ２０６）。
【０１９２】
ステップ２０７において、サブＣＰＵ２０６は、上述した浮遊体可動手段４３を制御して前記浮遊体４１，４２の挙動を制御する浮遊体制御処理（ステップ２０７）を実行する。この処理において、サブＣＰＵ２０６は、前記コマンド解析処理において、主制御回路６０のメインＣＰＵ６６からの浮遊体挙動パターン指定コマンドを受信した場合に、その浮遊体挙動パターン指定コマンドに応じた浮遊体可動パターンに従って浮遊体制御を行うこととなる。この処理が終了した場合には、ステップＳ２０２に処理を移す。
【０１９３】
このように、副制御回路メイン処理においては、ステップＳ２０１の初期設定処理が終了した後、ステップＳ２０２からステップＳ２０６の処理を繰り返し実行することとなる。
【０１９４】
［浮遊体制御処理］
図１２のステップＳ２０７において実行されるサブルーチンについて図２０を用いて説明する。
【０１９５】
まず、サブＣＰＵ２０６は、ステップＳ３００において、浮遊体可動手段４３が可動中であるか否かを判断し、浮遊体可動手段４３が動作中の場合はステップＳ３０１へ処理を移す。また、浮遊体可動手段４３が動作中でない場合は、ステップ３０３に処理を移す。
【０１９６】
ステップＳ３０１において、サブＣＰＵは、浮遊体動作監視タイマがタイムアップ（つまり“０”）したかを判断し、タイムアップしていなかった場合は処理を終了する。一方、浮遊体動作監視タイマがタイムアップした場合は、サブＣＰＵ２０６は、ステップＳ３０２において、浮遊体動作終了処理を行う。
【０１９７】
ステップＳ３０３において、サブＣＰＵ２０６は、浮遊体動作要求があるか否か（つまり浮遊体挙動パターン指定コマンドがあるか否か）を判断し、浮遊体動作要求がないと判断した場合は、処理を終了する。一方、浮遊体動作要求があると判断した場合は、サブＣＰＵ２０６は、ステップＳ３０４に処理を移す。
【０１９８】
ステップＳ３０４において、サブＣＰＵ２０６は、浮遊体挙動パターン決定処理を実行する。この処理において、サブＣＰＵ２０６は、上述した主制御回路６０から送信される浮遊体挙動パターン指定コマンドに対応する浮遊体挙動パターンデータを前記プログラムＲＯＭ２０８から選択、すなわち決定する。前記ステップＳ３０４の処理が終了したら、サブＣＰＵ２０６は、ステップＳ３０５に処理を移す。
【０１９９】
ステップＳ３０５において、サブＣＰＵ２０６は、可動パターンデータ出力処理を実行する。この処理において、サブＣＰＵ２０６は、プログラムＲＯＭ２０８の所定の領域に記憶されている前記浮遊体挙動パターンデータの出力要求に基づいて駆動制御するための信号を、浮遊体制御回路２６０を介して浮遊体可動手段４３に供給する。このようにして、浮遊体制御手段としてのサブＣＰＵ２０６は、遊技状態の変化に応じて浮遊体４１，４２の浮遊動作を変化させるのである。前記ステップＳ３０５が終了したら、サブＣＰＵ２０６は、ステップＳ３０６に処理を移す。
【０２００】
ステップ３０６において、サブＣＰＵ２０６は、可動パターンに応じた浮遊体動作時間を浮遊体動作監視タイマにセットして、浮遊体制御処理を終了する。
【０２０１】
以上説明してきたように、本実施形態のパチンコ遊技機１０によれば、液晶表示装置３２による演出表示に加え、透光性を有する遊技盤１４の背後における可動演出手段４４による動きによって、インパクトのある演出が可能となる。特に、演出画像表示領域３２ａと重なるように、当該演出画像表示領域３２ａの前方領域において、浮遊体４１，４２が浮遊するという従来にない演出表示が可能となり、遊技興趣を向上させることができる。
【０２０２】
上述してきた実施形態から以下の遊技機が実現する。
【０２０３】
遊技球を転動させることのできる遊技領域１５を有し、一部又は全部が透光性を有する部材により形成された遊技盤１４と、遊技状態に応じた演出画像（例えば、識別情報としての装飾図柄、キャラクタ画像、背景画像など）を表示する演出画像表示領域３２ａを有し、前記遊技盤１４の背後に配設され、当該遊技盤１４を透して視認可能な表示手段（例えば、液晶表示装置３２）と、この表示手段と前記遊技盤１４との間に形成された演出空間（例えば、浮遊体収納ケース３１の内部）と、この演出空間内に配設した可動演出手段４４とを備え、前記可動演出手段は、前記演出空間の所定領域３１ａ内を浮遊可能な複数の浮遊体４１（４２）と、これら浮遊体４１（４２）を、前記所定領域３１ａ内に導入するとともに、当該所定領域３１ａの外に導出する浮遊体可動手段４３（例えば、ファン８０ａ，８３ａ，８３ｂ）とを備える遊技機。
【０２０４】
前記浮遊体可動手段を制御して前記浮遊体４１（４２）の挙動を制御する浮遊体制御手段（例えば、副制御回路２００のサブＣＰＵ２０６）を備え、この浮遊体制御手段は、遊技状態の変化に応じて前記浮遊体４１（４２）の浮遊動作を変化させる遊技機。
【０２０５】
前記所定領域３１ａ内に導入される浮遊体４１（４２）の数量に応じて、遊技状態が変化する確率を報知可能とした遊技機。
【０２０６】
前記浮遊体４１（４２）が浮遊する範囲に応じて、遊技状態が変化する確率を報知可能とした遊技機。
【０２０７】
前記浮遊体４１（４２）と、前記演出画像との組合せに応じて、遊技状態が変化する確率を報知可能とした遊技機。
【０２０８】
前記浮遊体４１（４２）の種類（例えば、花ビラ型、鳥型）に応じて、遊技状態が変化する確率を報知可能とした遊技機。
【０２０９】
以上、本発明の実施例を説明したが、具体例を例示したに過ぎず、特に本発明を限定するものではない。すなわち当業者の知識に基づいて種々の変形、改良を施す等、具体的構成は、適宜設計変更可能である。
【０２１０】
なお、本発明の実施例に記載された効果は、本発明から生じる最も好適な効果を列挙したに過ぎず、本発明による効果は、本発明の実施例に記載されたものに限定されるものではない。
【図面の簡単な説明】
【０２１１】
【図１】本発明の一実施形態のパチンコ遊技機における概観を示す斜視図である。
【図２】本発明の一実施形態のパチンコ遊技機における概観を示す分解斜視図である。
【図３】本発明の一実施形態のパチンコ遊技機において構成される電飾ユニットを示す正面図である。
【図４】本発明の一実施形態のパチンコ遊技機における概観を示す正面図である。
【図５】本発明の一実施形態のパチンコ遊技機において構成される可動演出手段を説明する縦断面図である。
【図６】図５のＡ−Ａ線断面図である。
【図７】本発明の一実施形態のパチンコ遊技機において構成される可動演出手段を説明する斜視図である。
【図８】本発明の一実施形態のパチンコ遊技機において実行される浮遊体の挙動パターン例の説明図である。
【図９】本発明の一実施形態のパチンコ遊技機において実行される浮遊体の挙動パターン例の説明図である。
【図１０】本発明の一実施形態のパチンコ遊技機において実行される浮遊体の挙動パターン例の説明図である。
【図１１】本発明の一実施形態のパチンコ遊技機において構成される主制御回路及び副制御回路を示すブロック図である。
【図１２】本発明の一実施形態のパチンコ遊技機において参照される抽選テーブルである。
【図１３】本発明の一実施形態のパチンコ遊技機において実行される制御処理を示すフローチャートである。
【図１４】本発明の一実施形態のパチンコ遊技機において実行される制御処理を示すフローチャートである。
【図１５】本発明の一実施形態のパチンコ遊技機において実行される制御処理を示すフローチャートである。
【図１６】本発明の一実施形態のパチンコ遊技機において実行される制御処理を示すフローチャートである。
【図１７】本発明の一実施形態のパチンコ遊技機において実行される制御処理を示すフローチャートである。
【図１８】本発明の一実施形態のパチンコ遊技機において実行される制御処理を示すフローチャートである。
【図１９】本発明の一実施形態のパチンコ遊技機において実行される制御処理を示すフローチャートである。
【図２０】本発明の一実施形態のパチンコ遊技機において実行される制御処理を示すフローチャートである。
【符号の説明】
【０２１２】
１０  パチンコ遊技機
１４  遊技盤
１５  遊技領域
３１  浮遊体収納ケース
３１ａ  所定領域
３２  液晶表示装置（表示手段）
３２ａ  演出画像表示領域
３２ｂ  変動表示領域
４１，４２  浮遊体
４３  浮遊体可動手段
４４  可動演出手段
６０  主制御回路
２００  副制御回路
２０６  サブＣＰＵ（浮遊体制御手段）
【図１】
2008119383.tif 000003
【図２】
2008119383.tif 000004
【図３】
2008119383.tif 000005
【図４】
2008119383.tif 000006
【図５】
2008119383.tif 000007
【図６】
2008119383.tif 000008
【図７】
2008119383.tif 000009
【図８】
2008119383.tif 000010
【図９】
2008119383.tif 000011
【図１０】
2008119383.tif 000012
【図１１】
2008119383.tif 000013
【図１２】
2008119383.tif 000014
【図１３】
2008119383.tif 000015
【図１４】
2008119383.tif 000016
【図１５】
2008119383.tif 000017
【図１６】
2008119383.tif 000018
【図１７】
2008119383.tif 000019
【図１８】
2008119383.tif 000020
【図１９】
2008119383.tif 000021
【図２０】
2008119383.tif 000022